(57)【特許請求の範囲】
【請求項１】
所定の発光強度、及び所定の表示解像度を有する、表示装置の表示ユニット上に設置される導電性フィルムであって、
前記導電性フィルムは、透明基体と、該透明基体の両側、若しくは片側に配置される２つの配線部と、を有し、
前記２つの配線部の少なくとも一方の配線部は、複数の金属細線を有し、
前記複数の金属細線は、メッシュ状からなる多角形の配線パターンを有することにより、前記配線部には複数の多角形の開口部が配列されるものであり、
前記２つの配線部の少なくとも一方の配線部の前記複数の金属細線は、前記開口部が複数の異なる開口形状を有する不規則性が付与された不規則配線パターンを構成するものであり、
前記表示ユニットは、互いに異なる少なくとも３色の複数色の光を射出する複数の副画素を含む画素の画素配列パターンで配列されてなり、
前記導電性フィルムは、少なくとも１つの前記不規則配線パターンが含まれる前記２つの配線部の合成配線パターンと前記表示ユニットの前記画素配列パターンとが重畳されるように、前記表示ユニットに設置されるものであり、
前記不規則配線パターンは、少なくとも１視点において、前記合成配線パターンの透過率画像データの２次元フーリエスペクトルの複数の第１スペクトルピークの第１ピーク周波数及び第１ピーク強度と、複数色の光をそれぞれ点灯した時の各色の前記画素配列パターンの明度画像データの２次元フーリエスペクトルの複数の第２スペクトルピークの第２ピーク周波数及び第２ピーク強度とから各色毎に算出されるノイズの周波数及び強度において、前記表示ユニットの前記所定の表示解像度に応じて規定される周波数閾値以下の各ノイズの周波数におけるノイズの強度の内の第１強度閾値以上のノイズの強度にそれぞれ人間の視覚応答特性を観察距離に応じて作用させて得られた各色のノイズの評価値から算出したノイズの評価指標が評価閾値以下となる多角形の配線パターンであり、
前記複数色の各色の前記画素配列パターンの前記明度画像データは、
前記表示ユニットにおいて前記複数色の各色の光を各色毎に前記所定の発光強度に応じて設定可能な最大発光強度で単独で点灯した時に、前記表示ユニットの表示画面に表示された当該色の前記画素配列パターンの画像を撮像して得られた当該色の撮像画像データを明度値に変換することによって得られた明度画像データを規格化した規格化明度データであり、
前記周波数閾値は、前記表示ユニットの前記所定の表示解像度で得られる空間周波数であり、前記表示ユニットの表示画素ピッチをＰｄμｍとする時、１０００／Ｐｄ  ｃｙｃｌｅ／ｍｍで与えられる前記ノイズの最高周波数であることを特徴とする導電性フィルム。
【請求項２】
前記開口部の形状は、異なる２種類以上の開口形状であり、その頂点の数が２種類以上となる多角形状である請求項１に記載の導電性フィルム。
【請求項３】
前記開口部は、１つの平面領域にランダムに配置されたシード点を基準とするボロノイ多角形又はドロネー三角形からなる請求項２に記載の導電性フィルム。
【請求項４】
前記金属細線の前記不規則配線パターンは、１つの平面領域にランダムに配置されたシード点を重心とする多角形を畳み込んで得られた多角形画像間の境界領域を細線化処理して得られたランダムな線分からなる細線の配線パターンであり、
前記開口部の形状は、前記多角形画像の前記多角形が前記細線化処理によって変形し、前記ランダムな線分からなる細線で囲まれた異なる２種類以上の開口形状を含む請求項１に記載の導電性フィルム。
【請求項５】
前記評価閾値は、−２．８０である請求項１〜４のいずれか１項に記載の導電性フィルム。
【請求項６】
前記複数色が、赤、緑及び青の３色である時、前記赤、緑及び青の各色の前記画素配列パターンの画像の前記撮像画像データは、マクベスチャートの白にホワイトバランス調整して撮像された画像データである請求項１〜５のいずれか１項に記載の導電性フィルム。
【請求項７】
前記複数色の各色の前記画素配列パターンの画像の前記明度画像データは、
前記表示ユニットにおいて前記複数色の各色の光を前記最大発光強度で単独で点灯した時に、前記表示ユニットの表示画面に表示された当該色の前記画素配列パターンの画像をマイクロスコープで撮像した撮像画像データから作成したマスク画像に対して、計測された最も高い明度値を前記表示ユニットの前記所定の表示解像度と前記マスク画像の値を持つ面積との積で規格化した明度データを与えることにより得られたものであり、
前記明度画像データは、基準となる表示装置の表示ユニットの明度が１．０となるように規格化されたものであり、
前記表示ユニットの前記所定の発光強度は、前記基準となる表示装置の表示ユニットの発光強度を基準として評価されたものである請求項１〜６のいずれか１項に記載の導電性フィルム。
【請求項８】
前記複数色が、赤、緑及び青の３色である時、前記計測された最も高い明度値は、前記赤、緑及び青の各色を単独で表示させてスペクトロメータで計測して取得された、前記赤、緑及び青の各色の分光スペクトルデータから求められた明度値であり、
前記マスク画像は、前記マイクロスコープで撮像された前記撮像画像データを２値化した画像である請求項７に記載の導電性フィルム。
【請求項９】
前記２つの配線部は、前記透明基体の両側の面にそれぞれ形成される請求項１〜８のいずれか１項に記載の導電性フィルム。
【請求項１０】
前記透明基体を第１の透明基体とする時、さらに、前記第１の透明基体と異なる第２の透明基体を有し、
前記２つの配線部の一方の配線部は、前記第１の透明基体の一方の面に形成され、
前記２つの配線部の他方の配線部は、前記第１の透明基体の他方の面側であって、前記第２の透明基体の一方の面に形成される請求項１〜８のいずれか１項に記載の導電性フィルム。
【請求項１１】
前記２つの配線部は、前記透明基体の片側に絶縁層を介してそれぞれ形成される請求項１〜８のいずれか１項に記載の導電性フィルム。
【請求項１２】
前記２つの配線部の前記複数の金属細線は、いずれも前記不規則配線パターンを構成するものである請求項１〜１１のいずれか１項に記載の導電性フィルム。
【請求項１３】
前記２つの配線部の一方の配線部の前記複数の金属細線は、前記不規則配線パターンを構成するものであり、かつ
他方の配線部の前記複数の金属細線は、規則性のある多角形の配線パターンを構成するものである請求項１〜１１のいずれか１項に記載の導電性フィルム。
【請求項１４】
前記２つの配線部の一方の配線部の前記複数の金属細線は、前記不規則配線パターンを構成するものであり、かつ
他方の配線部は、酸化インジウムスズで構成されるものであり、
前記合成配線パターンは、前記不規則配線パターンである請求項１〜１１のいずれか１項に記載の導電性フィルム。
【請求項１５】
前記２つの配線部の少なくとも一方の配線部は、電極部と非電極部とを備え、
前記電極部及び前記非電極部の一方の前記複数の金属細線は、前記不規則配線パターンを構成するものであり、かつ
前記電極部及び前記非電極部の他方の前記複数の金属細線は、規則性のある多角形の配線パターンを構成するものである請求項１〜１４のいずれか１項に記載の導電性フィルム。
【請求項１６】
前記複数の第１スペクトルピークは、前記合成配線パターンの透過率画像データを、２次元フーリエ変換して得られた複数のスペクトルピークから選択された第１の閾値以上のピーク強度を有するものであり、
前記複数色のそれぞれについて、前記複数の第２スペクトルピークは、前記画素配列パターンの前記明度画像データを、２次元フーリエ変換して得られた複数のスペクトルピークから選択された第２の閾値以上のピーク強度を有するものである請求項１〜１５のいずれか１項に記載の導電性フィルム。
【請求項１７】
各色に対応するノイズの周波数及び強度は、前記第１ピーク周波数及び前記第１ピーク強度と、各色に対応する前記第２ピーク周波数及び前記第２ピーク強度との畳み込み演算によって求められる請求項１〜１６のいずれか１項に記載の導電性フィルム。
【請求項１８】
各色に対応するノイズの周波数は、前記第１ピーク周波数と各色に対応する前記第２ピーク周波数との差として与えられ、
各色に対応するノイズの強度は、前記第１ピーク強度と各色に対応する前記第２ピーク強度との積として与えられる請求項１〜１７のいずれか１項に記載の導電性フィルム。
【請求項１９】
前記ノイズの評価値は、前記ノイズの周波数及び強度に、前記視覚応答特性として前記観察距離に応じた視覚伝達関数を畳み込み積分で重み付けを行うことによって求められる請求項１〜１８のいずれか１項に記載の導電性フィルム。
【請求項２０】
前記視覚伝達関数ＶＴＦは、下記式（１）で与えられる請求項１９に記載の導電性フィルム。
ＶＴＦ＝５．０５ｅ−０．１３８ｋ（１−ｅ０．１ｋ）              …（１）
ｋ＝πｄｕ／１８０
ここで、ｋは、立体角で定義される空間周波数（ｃｙｃｌｅ／ｄｅｇ）であり、上記式（１）で表され、ｕは、長さで定義される空間周波数（ｃｙｃｌｅ／ｍｍ）であり、ｄは、観察距離（ｍｍ）で定義される。
【請求項２１】
前記ノイズの評価指標は、各色について、１つの前記ノイズの周波数に対して、前記観察距離に応じて重み付けされた複数の前記ノイズの評価値の中の最も大きい評価値を用いて算出される請求項１〜２０のいずれか１項に記載の導電性フィルム。
【請求項２２】
前記ノイズの評価指標は、各色毎に、前記１つの前記ノイズの周波数に対して選択された前記最も大きい評価値を全ての前記ノイズの周波数について合算した前記複数の色の合算値の中で最も大きい合算値である請求項２１に記載の導電性フィルム。
【請求項２３】
前記第１の強度閾値は、常用対数で−４．５である請求項１〜２２のいずれか１項に記載の導電性フィルム。
【請求項２４】
前記評価値は、正面観察及び斜め観察の少なくとも２視点において、前記複数色の各色毎に得られるものであり、
前記評価指標は、得られた少なくとも２視点における各色の評価値の中で最も大きな評価値である請求項１〜２３のいずれか１項に記載の導電性フィルム。
【請求項２５】
前記画素配列パターンは、前記ブラックマトリックスパターンである請求項１〜２４のいずれか１項に記載の導電性フィルム。
【請求項２６】
互いに異なる複数色の光を射出する複数の副画素を備える画素が一方の方向及び前記一方の方向に垂直な方向に繰り返される画素配列パターンで配列されてなる表示ユニットと、
この表示ユニットの上に設置される、請求項１〜２５のいずれか１項に記載の導電性フィルムと、を備えることを特徴とする表示装置。
【請求項２７】
互いに異なる少なくとも３色の複数色の光を射出する複数の副画素を備える画素が一方の方向、及び前記一方の方向に垂直な方向に繰り返される画素配列パターンで配列されてなり、所定の発光強度、及び所定の表示解像度を有する表示ユニットと、
この表示ユニット上に設置される導電性フィルムと、を備える表示装置であって、
前記導電性フィルムは、透明基体と、該透明基体の両側、若しくは片側に配置される２つの配線部と、を有し、
前記２つの配線部の少なくとも一方の配線部は、複数の金属細線を有し、
前記複数の金属細線は、メッシュ状からなる多角形の配線パターンを有することにより、前記配線部には複数の多角形の開口部が配列されるものであり、
前記２つの配線部の少なくとも一方の配線部の前記複数の金属細線は、前記開口部が複数の異なる開口形状を有する不規則性が付与された不規則配線パターンを構成するものであり、
前記導電性フィルムは、少なくとも１つの前記不規則配線パターンが含まれる前記２つの配線部の合成配線パターンと前記表示ユニットの前記画素配列パターンとが重畳されるように、前記表示ユニットに設置されるものであり、
前記不規則配線パターンは、少なくとも１視点において、前記合成配線パターンの透過率画像データの２次元フーリエスペクトルの複数の第１スペクトルピークの第１ピーク周波数及び第１ピーク強度と、複数色の光をそれぞれ前記所定の発光強度に応じて点灯した時の各色の前記画素配列パターンの明度画像データの２次元フーリエスペクトルの複数の第２スペクトルピークの第２ピーク周波数及び第２ピーク強度とから各色毎に算出されるノイズの周波数及び強度において、前記表示ユニットの前記所定の表示解像度に応じて規定される周波数閾値以下の各ノイズの周波数におけるノイズの強度の内の第１強度閾値以上のノイズの強度にそれぞれ人間の視覚応答特性を観察距離に応じて作用させて得られた各色のノイズの評価値から算出したノイズの評価指標が評価閾値以下となる多角形の配線パターンであることを特徴とする表示装置。
【請求項２８】
表示装置の表示ユニット上に設置され、透明基体の両側、若しくは片側に配置される２つの配線部を有する導電性フィルムの評価方法であって、
前記２つの配線部の少なくとも一方の配線部は、複数の金属細線を有し、
前記複数の金属細線は、メッシュ状からなる多角形の配線パターンを有することにより、前記配線部には複数の多角形の開口部が配列されるものであり、
前記２つの配線部の少なくとも一方の配線部の前記複数の金属細線は、前記開口部が複数の異なる開口形状を有する不規則性が付与された不規則配線パターンを構成するものであり、
前記表示ユニットは、互いに異なる少なくとも３色の複数色の光を射出する複数の副画素を含む画素の画素配列パターンで配列されてなり、
前記導電性フィルムは、少なくとも１つの前記不規則配線パターンが含まれる前記２つの配線部の合成配線パターンと前記表示ユニットの前記画素配列パターンとが重畳されるように、前記表示ユニットに設置されるものであり、
少なくとも１視点において、前記合成配線パターンの透過率画像データ及び前記表示ユニットの前記複数色の光をそれぞれ点灯した時の各色の前記画素配列パターンの明度画像データを取得し、
前記合成配線パターンの透過率画像データ及び前記画素配列パターンの明度画像データに対して２次元フーリエ変換を行い、前記合成配線パターンの透過率画像データの２次元フーリエスペクトルの複数の第１スペクトルピークの第１ピーク周波数及び第１ピーク強度と、各色毎に、前記複数色の各色の前記画素配列パターンの明度画像データの２次元フーリエスペクトルの複数の第２スペクトルピークの第２ピーク周波数及び第２ピーク強度とを算出し、
こうして算出された前記合成配線パターンの前記第１ピーク周波数及び前記第１ピーク強度と、前記複数色のそれぞれの前記副画素配列パターンの前記第２ピーク周波数及び前記第２ピーク強度とからそれぞれ前記複数色の各色のノイズの周波数及び強度を算出し、
こうして算出された各色の前記ノイズの周波数及び強度の中から、前記表示ユニットの表示解像度に応じて規定される周波数閾値以下の周波数及び第１強度閾値以上の強度を持つノイズを選び出し、
こうして選び出されたそれぞれの各色のノイズの周波数における前記ノイズの強度に人間の視覚応答特性を観察距離に応じて作用させてそれぞれ各色のノイズの評価値を得、
こうして得られた各色毎のノイズの評価値からノイズの評価指標を算出し、
こうして算出された前記ノイズの評価指標が所定値以下である多角形の配線パターンを持つ導電性フィルムを評価することを特徴とする導電性フィルムの評価方法。
【発明の詳細な説明】
【技術分野】
【０００１】
本発明は、導電性フィルム、これを備える表示装置及び導電性フィルムの評価方法に係り、詳しくは、表示装置との干渉によるノイズを抑制し、視認性に優れたメッシュ状配線パターンを持つ導電性フィルム、その評価方法及び表示装置に関する。特に、本発明は、発光強度が異なる表示装置の画素配列パターンに重畳されても、表示装置の発光強度に応じてノイズの視認性が改善された画質を提供するメッシュ状配線パターンを持つ導電性フィルム、その評価方法及び表示装置に関する。
【背景技術】
【０００２】
表示装置（以下、ディスプレイともいう）の表示ユニット上に設置される導電性フィルムとして、例えばメッシュ状配線パターン（以下、メッシュパターンともいう）を持つ金属細線からなる導電膜を有するタッチパネル用の導電性フィルムや電磁波シールド用の導電性フィルム等が挙げられる。
このようなメッシュパターンでは、ディスプレイの画素配列パターン（例えば、ＲＧＢカラーフィルタの配列パターン、もしくはその反転パターンであるブラックマトリックス（Black Matrix：以下、ＢＭともいう）パターンということができる）との干渉によるノイズの視認が問題となるため、ノイズが視認されない、もしくは視認され難いランダムメッシュパターンが多数提案されている。
【０００３】
例えば、特許文献１は、同一の多角形で構成された仮想の格子を形成し、多角形の内部に所定点（シード）をランダムに生成した後、所定点と多角形の頂点とを連結して金属製の電極パターンを不規則に形成することにより、モアレ現象を防止し、視認性を改善することができるタッチパネルを開示している。
【先行技術文献】
【特許文献】
【０００４】
【特許文献１】特開２０１４−０４１５８９号公報
【発明の概要】
【発明が解決しようとする課題】
【０００５】
ところで、特許文献１では、視認性を改善するために、金属製電極パターン、即ちメッシュパターンに不規則性を付与することを提案している。
一方、不規則なランダムメッシュパターンとディスプレイのＢＭパターンとの重畳により視認される「ノイズ」は、メッシュパターン単独の特徴のみでは決定することができない。ディスプレイを考慮すること無しに、どれほどメッシュパターンに制約を加えたとしても、重畳するディスプレイの画素構造、例えばＢＭパターンや、明度等が変化すると、視認されるノイズは変化する。
このため、特許文献１に開示のタッチパネルのメッシュパターンでは、ランダムメッシュパターンによるロバストな視認性は得ることができないという問題があった。つまり、ノイズ視認性に優れたメッシュパターンは、ディスプレイとの組み合わせで決定される必要があるが、特許文献１では全く考慮されていないという問題があった。
【０００６】
本発明は、上記従来技術の問題点を解消し、表示ユニット（ディスプレイ）との組み合わせにおいて視認されるノイズの発生を抑制し、視認性を向上させることができるランダム（不規則）なメッシュ状配線パターン（メッシュパターン）を有する導電性フィルム、これを備える表示装置及び導電性フィルムのパターンの評価方法を提供することを目的とする。
本発明は、特に、発光強度（明度）が異なるディスプレイの画素配列（ＢＭ）パターンに重畳された場合であっても、観察距離によらず、ディスプレイの強度に応じて、大きな画質障害となるノイズの発生を抑止でき、視認性を大幅に向上させることができるランダムメッシュパターンを有する導電性フィルム、これを備える表示装置及び導電性フィルムのパターンの評価方法を提供することを目的とする。
【課題を解決するための手段】
【０００７】
上記目的を達成するために、本発明の第１の態様に係る導電性フィルムは、表示装置の表示ユニット上に設置される導電性フィルムであって、導電性フィルムは、透明基体と、透明基体の両側、若しくは片側に配置される２つの配線部と、を有し、２つの配線部の少なくとも一方の配線部は、複数の金属細線を有し、複数の金属細線は、メッシュ状からなる多角形の配線パターンを有することにより、配線部には複数の多角形の開口部が配列されるものであり、２つの配線部の少なくとも一方の配線部の複数の金属細線は、開口部が複数の異なる開口形状を有する不規則性が付与された不規則配線パターンを構成するものであり、表示ユニットは、互いに異なる少なくとも３色の複数色の光を射出する複数の副画素を含む画素の画素配列パターンで配列されてなり、導電性フィルムは、少なくとも１つの不規則配線パターンが含まれる２つの配線部の合成配線パターンと表示ユニットの画素配列パターンとが重畳されるように、表示ユニットに設置されるものであり、不規則配線パターンは、少なくとも１視点において、合成配線パターンの透過率画像データの２次元フーリエスペクトルの複数の第１スペクトルピークの第１ピーク周波数及び第１ピーク強度と、複数色の光をそれぞれ点灯した時の各色の画素配列パターンの明度画像データの２次元フーリエスペクトルの複数の第２スペクトルピークの第２ピーク周波数及び第２ピーク強度とから各色毎に算出されるノイズの周波数及び強度において、表示ユニットの表示解像度に応じて規定される周波数閾値以下の各ノイズの周波数におけるノイズの強度の内の第１強度閾値以上のノイズの強度にそれぞれ人間の視覚応答特性を観察距離に応じて作用させて得られた各色のノイズの評価値から算出したノイズの評価指標が評価閾値以下となる多角形の配線パターンであることを特徴とする。
【０００８】
また、上記目的を達成するために、本発明の第２の態様に係る表示装置は、互いに異なる複数色の光を射出する複数の副画素を備える画素が一方の方向及び一方の方向に垂直な方向に繰り返される画素配列パターンで配列されてなる表示ユニットと、この表示ユニットの上に設置される、本発明の第１の態様に係る導電性フィルムとを備えることを特徴とする。
【０００９】
また、上記目的を達成するために、本発明の第３の態様に係る導電性フィルムの評価方法は、表示装置の表示ユニット上に設置され、透明基体の両側、若しくは片側に配置される２つの配線部を有する導電性フィルムの評価方法であって、２つの配線部の少なくとも一方の配線部は、複数の金属細線を有し、複数の金属細線は、メッシュ状からなる多角形の配線パターンを有することにより、配線部には複数の多角形の開口部が配列されるものであり、２つの配線部の少なくとも一方の配線部の複数の金属細線は、開口部が複数の異なる開口形状を有する不規則性が付与された不規則配線パターンを構成するものであり、表示ユニットは、互いに異なる少なくとも３色の複数色の光を射出する複数の副画素を含む画素の画素配列パターンで配列されてなり、導電性フィルムは、少なくとも１つの不規則配線パターンが含まれる２つの配線部の合成配線パターンと表示ユニットの画素配列パターンとが重畳されるように、表示ユニットに設置されるものであり、少なくとも１視点において、合成配線パターンの透過率画像データ及び表示ユニットの複数色の光をそれぞれ点灯した時の各色の画素配列パターンの明度画像データを取得し、合成配線パターンの透過率画像データ及び画素配列パターンの明度画像データに対して２次元フーリエ変換を行い、合成配線パターンの透過率画像データの２次元フーリエスペクトルの複数の第１スペクトルピークの第１ピーク周波数及び第１ピーク強度と、各色毎に、複数色の各色の画素配列パターンの明度画像データの２次元フーリエスペクトルの複数の第２スペクトルピークの第２ピーク周波数及び第２ピーク強度とを算出し、こうして算出された合成配線パターンの第１ピーク周波数及び第１ピーク強度と、複数色のそれぞれの副画素配列パターンの第２ピーク周波数及び第２ピーク強度とからそれぞれ複数色の各色のノイズの周波数及び強度を算出し、こうして算出された各色のノイズの周波数及び強度の中から、表示ユニットの表示解像度に応じて規定される周波数閾値以下の周波数及び第１強度閾値以上の強度を持つノイズを選び出し、こうして選び出されたそれぞれの各色のノイズの周波数におけるノイズの強度に人間の視覚応答特性を観察距離に応じて作用させてそれぞれ各色のノイズの評価値を得、こうして得られた各色毎のノイズの評価値からノイズの評価指標を算出し、こうして算出されたノイズの評価指標が所定値以下である多角形の配線パターンを持つ導電性フィルムを評価することを特徴とする。
【００１０】
上記第１〜第３の態様のいずれか1つの態様において、開口部の形状は、異なる２種類以上の開口形状であり、その頂点の数が２種類以上となる多角形状であることが好ましく、開口部は、１つの平面領域にランダムに配置されたシード点を基準とするボロノイ多角形又はドロネー三角形であってもよい。
または、金属細線の不規則配線パターンは、１つの平面領域にランダムに配置されたシード点を重心とする多角形を畳み込んで得られた多角形画像間の境界領域を細線化処理して得られたランダムな線分からなる細線の配線パターンであり、開口部の形状は、多角形画像の多角形が細線化処理によって変形し、ランダムな線分からなる細線で囲まれた異なる２種類以上の開口形状を含むことが好ましい。
【００１１】
また、評価閾値は、−２．８０であることが好ましい。
また、各色の画素配列パターンの明度画像データは、複数色の光をそれぞれ単独で点灯した時に表示ユニットの表示画面に表示された各色の画素配列パターンの画像を撮像して得られた当該色の撮像画像データを明度値に変換することによって得られた明度画像データを規格化した規格化明度データであることが好ましい。
【００１２】
また、表示ユニットの表示画面に表示された各色の画素配列パターンの画像は、複数色の光を各色毎に設定可能な最大強度で単独で点灯した時に表示ユニットに表示されたものであることが好ましい。
また、複数色が、赤、緑及び青の３色である時、赤、緑及び青の各色の画素配列パターンの画像の撮像画像データは、マクベスチャートの白にホワイトバランス調整して撮像された画像データであることが好ましい。
【００１３】
また、複数色の各色の画素配列パターンの画像の明度画像データは、表示ユニットにおいて複数色の各色の光を単独で点灯した時に、表示ユニットの表示画面に表示された当該色の画素配列パターンの画像をマイクロスコープで撮像した撮像画像データから作成したマスク画像に対して、計測された明度値を表示ユニットの解像度とマスク画像の値を持つ面積との積で規格化した明度データを与えることにより得られたものであり、明度画像データは、基準となる表示装置の表示ユニットの明度が１．０となるように規格化されたものであることが好ましい。
また、複数色が、赤、緑及び青の３色である時、計測された明度値は、赤、緑及び青の各色を単独で表示させてスペクトロメータで計測して取得された、赤、緑及び青の各色の分光スペクトルデータから求められた明度値であり、マスク画像は、マイクロスコープで撮像された撮像画像データを２値化した画像であることが好ましい。
【００１４】
また、２つの配線部は、透明基体の両側の面にそれぞれ形成されることが好ましい。
または、透明基体を第１の透明基体とする時、さらに、第１の透明基体と異なる第２の透明基体を有し、２つの配線部の一方の配線部は、第１の透明基体の一方の面に形成され、２つの配線部の他方の配線部は、第１の透明基体の他方の面側であって、第２の透明基体の一方の面に形成されることが好ましい。
または、２つの配線部は、透明基体の片側に絶縁層を介してそれぞれ形成されることが好ましい。
【００１５】
また、２つの配線部の複数の金属細線は、いずれも不規則配線パターンを構成するものであることが好ましい。
または、２つの配線部の一方の配線部の複数の金属細線は、不規則配線パターンを構成するものであり、かつ他方の配線部の複数の金属細線は、規則性のある多角形の配線パターンを構成するものであることが好ましい。
または、２つの配線部の一方の配線部の複数の金属細線は、不規則配線パターンを構成するものであり、かつ他方の配線部は、酸化インジウムスズで構成されるものであり、合成配線パターンは、不規則配線パターンであることが好ましい。
また、２つの配線部の少なくとも一方の配線部は、電極部と非電極部とを備え、電極部及び非電極部の一方の複数の金属細線は、不規則配線パターンを構成するものであり、かつ電極部及び非電極部の他方の複数の金属細線は、規則性のある多角形の配線パターンを構成するものであることが好ましい。
【００１６】
また、複数の第１スペクトルピークは、合成配線パターンの透過率画像データを、２次元フーリエ変換して得られた複数のスペクトルピークから選択された第１の閾値以上のピーク強度を有するものであり、複数色のそれぞれについて、複数の第２スペクトルピークは、画素配列パターンの明度画像データを、２次元フーリエ変換して得られた複数のスペクトルピークから選択された第２の閾値以上のピーク強度を有するものであることが好ましい。
また、各色に対応するノイズの周波数及び強度は、第１ピーク周波数及び第１ピーク強度と、各色に対応する第２ピーク周波数及び第２ピーク強度との畳み込み演算によって求められることが好ましい。
また、各色に対応するノイズの周波数は、第１ピーク周波数と各色に対応する第２ピーク周波数との差として与えられ、各色に対応するノイズの強度は、第１ピーク強度と各色に対応する第２ピーク強度との積として与えられることが好ましい。
【００１７】
また、ノイズの評価値は、ノイズの周波数及び強度に、視覚応答特性として観察距離に応じた視覚伝達関数を畳み込み積分で重み付けを行うことによって求められることが好ましい。
また、視覚伝達関数ＶＴＦは、下記式（１）で与えられることが好ましい。
ＶＴＦ＝５．０５ｅ−０．１３８ｋ（１−ｅ０．１ｋ）              …（１）
ｋ＝πｄｕ／１８０
ここで、ｋは、立体角で定義される空間周波数（ｃｙｃｌｅ／ｄｅｇ）であり、上記式（１）で表され、ｕは、長さで定義される空間周波数（ｃｙｃｌｅ／ｍｍ）であり、ｄは、観察距離（ｍｍ）で定義される。
【００１８】
また、ノイズの評価指標は、各色について、１つのノイズの周波数に対して、観察距離に応じて重み付けされた複数のノイズの評価値の中の最も大きい評価値を用いて算出されることが好ましい。
また、ノイズの評価指標は、各色毎に、１つのノイズの周波数に対して選択された最も大きい評価値を全てのノイズの周波数について合算した複数の色の合算値の中で最も大きい合算値であることが好ましい。
また、第１の強度閾値は、常用対数で−４．５であることが好ましい。また、周波数閾値は、表示ユニットの解像度で得られる空間周波数、即ち、1画素ピッチの逆数に対応する空間周波数である。
【００１９】
また、表示ユニットの解像度で得られる空間周波数は、表示ユニットの表示画素ピッチをＰｄμｍとする時、１０００／Ｐｄ  ｃｙｃｌｅ／ｍｍで与えられるノイズの最高周波数であることが好ましい。
また、評価値は、正面観察及び斜め観察の少なくとも２視点において、複数色の各色毎に得られるものであり、評価指標は、得られた少なくとも２視点における各色の評価値の中で最も大きな評価値であることが好ましい。
また、画素配列パターンは、ブラックマトリックスパターンであることが好ましい。
【発明の効果】
【００２０】
以上説明したように、本発明によれば、ディスプレイとの組み合わせにおいて視認されるノイズの発生を抑制し、視認性を向上させることができるランダムメッシュパターンを有する導電性フィルム、これを備える表示装置及び導電性フィルムのパターンの評価方法を提供することができる。
特に、ランダムメッシュパターンが、発光強度（明度）が異なるディスプレイの画素配列（ＢＭ）パターンに重畳された場合であっても、観察距離によらず、ディスプレイの強度に応じて、大きな画質障害となるノイズの発生を抑止でき、視認性を大幅に向上させることができる。
また、本発明によれば、上記効果に加え、ディスプレイのＲＧＢ副画素の開口形状がそれぞれ異なる周波数・強度（形状、サイズ）を持つ場合の導電性フィルムのメッシュパターンの設計においても、発光強度が異なるディスプレイの画素配列パターンとの組み合わせにおいても最良の画質を提供することができる。
【図面の簡単な説明】
【００２１】
【図１】本発明の第１の実施形態に係る導電性フィルムの一例を模式的に示す部分断面図である。
【図２】図１に示す導電性フィルムの配線部の、ボロノイ多角形からなるランダムなメッシュ状配線パターンの一例を模式的に示す平面図である。
【図３】図２に示すランダムメッシュパターンを形成するボロノイ多角形を生成させるために、１つの平面領域内に任意の間隔で発生させたシード点（ドット）を示すドット切り出し画像の一例の概略説明図である。
【図４】図１に示す導電性フィルムの上側及び下側の配線部の配線パターンの重なりによる合成配線パターンの一例を模式的に示す平面図である。
【図５】本発明の他の実施形態に係る導電性フィルムの上側及び下側の配線部の配線パターンの重なりによる合成配線パターンの一例を模式的に示す平面図である。
【図６】本発明の他の実施形態に係る導電性フィルムの上側の配線部の配線パターンの一例を模式的に示す平面図である。
【図７】本発明の第２の実施形態に係る導電性フィルムの一例の模式的部分断面図である。
【図８】本発明の第３の実施形態に係る導電性フィルムの一例の模式的部分断面図である。
【図９】本発明に係る導電性フィルムが適用される表示ユニットの一部の画素配列パターンの一例を表す概略説明図である。
【図１０】図１に示す導電性フィルムを組み込んだ表示装置の一実施例の概略断面図である。
【図１１】（Ａ）は、図２に示すランダムメッシュパターンの構造の一例を示す模式図であり、（Ｂ）は、図９に示す表示ユニットの画素配列パターンの構造の一例を示す模式図であり、（Ｃ）は、本発明におけるランダムメッシュパターンの透過率（Ｔ）のグラフの一例であり、（Ｄ）は、表示ユニットの代表副画素の強度（Ｉ）のグラフの一例であり、（Ｅ）及び（Ｆ）は、それぞれ従来技術におけるメッシュ配線パターン及び表示ユニットの代表副画素の透過率（Ｔ）のグラフの一例である。
【図１２】（Ａ）及び（Ｂ）は、それぞれ本発明に係る導電性フィルムが適用される表示ユニットの一部の画素配列パターンの一例を表す概略説明図であり、（Ｂ）は、（Ａ）の画素配列パターンの部分拡大図である。
【図１３】（Ａ）〜（Ｃ）は、それぞれ本発明に適用される３つの副画素の形及び周期の少なくとも１つが異なる画素配列パターンの構成単位の一例を示す概略説明図である。
【図１４】（Ａ）及び（Ｂ）は、それぞれ図９に示す表示ユニットの画素配列パターンの画素中の３つの副画素の強度のばらつきの一例を模式的に示す説明図である。
【図１５】（Ａ１）〜（Ｈ２）は、それぞれ解像度、形状及び強度が異なる表示ユニットの画素配列パターンの代表副画素の２×２画素の繰り返し単位の一例を示す模式図である。
【図１６】本発明に係る導電性フィルムの配線評価方法の一例を示すフローチャートである。
【図１７】本発明の導電性フィルムの評価方法のディスプレイＢＭデータの作成方法の詳細の一例を示すフローチャートである。
【図１８】本発明に係る導電性フィルムが適用される表示ユニットのＧ副画素の撮像画像の一例を示す模式図、Ｇ副画素の分光スペクトルの一例を示すグラフ、及び２×２画素のインプットデータの一例を示す模式図である。
【図１９】本発明に適用されるＸＹＺ等色関数の一例を示すグラフである。
【図２０】（Ａ）及び（Ｂ）は、それぞれ図１５（Ａ１）に示す画素配列パターン及び図２に示すランダムメッシュパターンの各透過率画像データの２次元フーリエスペクトルの強度特性を示す図である。
【図２１】図１５（Ａ１）に示す表示ユニットの画素配列パターンの周波数ピーク位置を示すグラフである。
【図２２】入力パターン画像の周波数ピーク位置を説明するグラフである。
【図２３】本発明の導電性フィルムの配線部のランダムなメッシュ状配線パターンの他の一例を模式的に示す平面図である。
【図２４】（Ａ）は、図２３に示すランダムメッシュパターンを形成する多角形を生成させるために、１つの平面領域内に任意の間隔で発生させたシード点（ドット）を示すドット切り出し画像の一例の概略説明図であり、（Ｂ）は、（Ａ）に示すドット切り出し画像のドットの位置に菱形パターンを畳み込んだ菱形パターン画像の一例の概略説明図である。
【図２５】（Ａ）、（Ｂ）及び（Ｃ）は、それぞれ本発明の導電性フィルムの配線部のランダムなメッシュ状配線パターンの他の一例を模式的に示す平面図である。
【発明を実施するための形態】
【００２２】
以下に、本発明に係る導電性フィルム、これを備える表示装置及び導電性フィルムの評価方法を添付の図面に示す好適な実施形態を参照して詳細に説明する。
本発明は、不規則なメッシュ状のランダムパターン（以下、ランダムメッシュパターンという）とディスプレイ画素配列（ＢＭ）パターンの重畳で視認されるノイズを抑制するため、ディスプレイに組み合わせるためのランダムメッシュパターンを持つ導電性フィルムを提供するものである。  ここで、本発明に用いられるランダムメッシュパターンとしては、少なくとも２種類の異なる開口形状を有し、その頂点の数は少なくとも２種類となる不規則なパターンと定義することができる。
ところで、ディスプレイとランダムメッシュパターンとで視認されるノイズを定量化し、その定量値が閾値以下となる組み合わせにおいては、ノイズは視認されることはない。したがって、本発明においては、ランダムメッシュパターンとしては、上記のように定義できるが、ディスプレイのＢＭパターン及びランダムメッシュパターンを定量化し、これらの定量値から視認されるノイズを定量化する必要がある。
そのため、本発明においては、先ず、複数の特徴の異なる不規則なメッシュパターンを想定し、透過率画像を作成している。次に、この透過率画像から得られる高速フーリエ変換（ＦＦＴ）スペクトルと、ディスプレイから得られるＦＦＴスペクトルの畳み込み演算を行っている。ここで、得られた演算結果に視覚伝達関数を作用させた積算値がノイズ視認性定量値に相当し、この段階で、ノイズ視認性定量値、及びノイズシミュレーション画像が得られる。得られた画像を評価することにより、視認性として許容できるノイズ視認性を決定することができ、本発明の導電性フィルム及びその評価方法を提供することができる。
【００２３】
以下では、本発明に係る導電性フィルムについて、タッチパネル用の導電性フィルムを代表例として説明する。本発明は、これに限定されず、透明基体の両側に配置される、もしくは片側に絶縁層を介して配置される配線パターンの内、少なくとも一方が、不規則性が付与された多角形状のセル（開口部）からなるランダムなメッシュ状配線パターン（ランダムメッシュパターン）を持つ配線部を有するものであり、表示装置の様々な発光強度の表示ユニット上に設置される導電性フィルムであれば、どのようなものでも良い。例えば、電磁波シールド用の導電性フィルム等であっても良いのはもちろんである。
なお、本発明に係る導電性フィルムが重畳される表示装置の表示ユニットとしては、特に制限的ではないが、例えば、液晶ディスプレイ（ＬＣＤ：Liquid Crystal Display）、プラズマディスプレイ（ＰＤＰ：Plasma Display Panel）、有機エレクトロルミネッセンス（有機ＥＬ）（ＯＥＬ：Organic Electro-Luminescence）を利用した有機ＥＬ（発光）ダイオード（ＯＬＥＤ：Organic Light Emitting Diode）や有機ＥＬディスプレイ（ＯＥＬＤ：Organic Electro-Luminescence Display）、無機ＥＬ（Electro-Luminescence）ディスプレイ、電子ペーパ等を挙げることができる。
【００２４】
なお、詳細は後述するが、本発明の導電性フィルムの重畳される表示装置の表示ユニット（以下、ディスプレイともいう）は、互いに異なる少なくとも３色、例えば、赤、緑及び青の３色を含む複数色の光を射出する複数の副画素を含む画素の画素配列パターン（以下、ＢＭパターンともいう）で配列されてなり、その発光強度（輝度）のよる各副画素（カラーフィルタ）の輝度（明度）を、導電性フィルムの重畳によるノイズの視認性の評価において考慮できるものであれば、特に制限的ではない。上記表示ユニットは、例えば、従来のように、副画素（カラーフィルタ）の繰り返し周期及び強度（形状、サイズ）、即ち副画素配列パターン（副画素の形状及びサイズ、周期）がＲＧＢ等の複数色において全て同じであり、Ｇ副画素で代表させることができるＢＭパターンを持つ表示ユニットであっても良い。また、上記表示ユニットは、前述したＯＥＬＤのように、複数色において全て同じでない、即ち、少なくとも２つの色について異なる副画素配列パターンを含むＢＭパターンを持つ表示ユニットであっても良い。
また、本発明の対象となる表示装置のディスプレイは、高解像度スマートフォンやタブレット端末等のように、発光強度の高いディスプレイであっても良いし、低解像度のデスクトップパソコンやテレビ（ＴＶ）等のように、発光強度の低いディスプレイであっても良いし、中解像度ノートブック等のように、発光強度の中程度のディスプレイであっても良い。
【００２５】
図１は、本発明の第１の実施形態に係る導電性フィルムの一例を模式的に示す部分断面図であり、図２は、それぞれ、図１に示す導電性フィルムの配線部の配線パターンの一例を模式的に示す平面図である。
これらの図に示すように、本実施形態の導電性フィルム１０は、表示装置の表示ユニット上に設置されるもので、表示ユニットのブラックマトリックス（ＢＭ：Black Matrix）に対してノイズの発生の抑止の点で優れた配線パターン、特に、ＢＭパターンに重畳した際にＢＭパターンに対してノイズの視認性の点で最適化された配線パターンを持つ導電性フィルムであり、透明基体１２と、透明基体１２の一方の面（図１中上側の面）に形成され、複数の金属製の細線（以下、金属細線という）１４からなり、第１電極部となる第１配線部１６ａと、第１配線部１６ａの略全面に、金属細線１４を被覆するように、第１接着層１８ａを介して接着された第１保護層２０ａと、透明基体１２の他方の面（図１中下側の面）に形成され、複数の金属製の細線１４からなり、第２電極部となる第２配線部（電極）１６ｂと、第２配線部１６ｂの略全面に第２接着層１８ｂを介して接着された第２保護層２０ｂとを有する。
なお、以下では、第１配線部１６ａ及び第２配線部１６ｂを総称する際には単に配線部１６といい、第１接着層１８ａ及び第２接着層１８ｂを総称する際には単に接着層１８といい、第１保護層２０ａ及び第２保護層２０ｂを総称する際には単に保護層２０という。
【００２６】
透明基体１２は、絶縁性を有し、かつ透光性が高い材料からなり、例えば、樹脂、ガラス、シリコン等の材料を挙げることができる。樹脂としては、例えば、ＰＥＴ（Polyethylene Terephthalate）、ＰＭＭＡ（Polymethyl methacrylate）、ＰＰ（polypropylene）、ＰＳ（polystyrene）等が挙げられる。
金属細線１４は、波線の形状をなし、導電性の高い金属製の細線であれば特に制限的ではなく、例えば、金（Ａｕ）、銀（Ａｇ）又は銅（Ｃｕ）の線材等からなるものを挙げることができる。金属細線１４の線幅は、視認性の点からは細い方が好ましいが、例えば、３０μｍ以下であれば良い。なお、タッチパネル用途では、金属細線１４の線幅は０．１μｍ以上１５μｍ以下が好ましく、１μｍ以上９μｍ以下がより好ましく、２μｍ以上７μｍ以下がさらに好ましい。
【００２７】
配線部１６（１６ａ，１６ｂ）は、メッシュ状に配列したメッシュ配線２１（２１ａ，２１ｂ）によって形成される配線パターン２４（２４ａ，２４ｂ）を持つ波線形状の複数の金属細線１４を有する。配線パターン２４（２４ａ，２４ｂ）は、詳細には、図２に示すように、複数の金属細線１４同士を互いに交差させて形成された所定のランダム形状、例えばランダムな多角形状の開口部（セル）２２（２２ａ，２２ｂ）が配列されたメッシュパターンである。
配線部１６（１６ａ及び１６ｂ）は、図２に示すように、金属細線１４と、隣接する金属細線１４間の開口部（セル）２２（２２ａ及び２２ｂ）によるランダムなメッシュ形状の配線パターン２４（２４ａ及び２４ｂ）とを有する配線層２８（２８ａ及び２８ｂ）からなる。配線パターン２４ａ及び２４ｂは、複数の金属細線で形成される開口部がランダムな多角形とからなることで不規則性が付与された配線パターン、即ちランダムメッシュパターン２５ａである。このランダムメッシュパターン２５ａは、金属細線１４によって形成される開口部２２の形状が、異なる２種類以上の開口形状であり、その頂点の数が２種類以上となるランダムな多角形状となるものであれば、どのようなランダムメッシュパターンであっても良い。
【００２８】
なお、図１に示す例においては、配線パターン２４は、配線パターン２４ａ及び２４ｂとして、図２に示すようランダムメッシュパターン２５ａを有するものである。
ここで、図２に示す不規則性が付与された配線パターンであるランダムメッシュパターン２５ａは、図３に示すような１つの平面領域１００内において任意の間隔で複数の位置に存在する複数のシード点ｐを基準としてボロノイ図（ボロノイ分割法）に従って決定されたボロノイ多角形からなる開口部２２を持つ配線形状を有する。
図３は、図２に示すランダムメッシュパターンを形成するボロノイ多角形を生成させるために、１つの平面領域１００内において任意の間隔で無作為に選択された複数の位置にドットを発生させて複数のシード点ｐとしたドット切り出し画像を示す。
図２に示すランダムメッシュパターン２５ａにおいては、ボロノイ図（ボロノイ分割法）に従って図３に示す複数のシード点ｐをそれぞれ囲繞する複数のランダムな多角形の領域、すなわち複数のボロノイ多角形の領域がそれぞれ画定されている。ここで、ボロノイ図により区画された複数のボロノイ多角形の領域は、シード点ｐが最も近接する点である点の集合体であることを示している。ここで、距離関数としてユークリッド距離を用いたが、種々の関数を用いてもよい。
【００２９】
なお、本発明において用いられるランダムメッシュパターンとして、図３に示す複数のシード点を基準として、ドロネー図（ドロネー三角形分割法）に従って決定されたドロネー三角形からなる開口部２２を持つ配線形状を有するランダムメッシュパターン（図示せず）を用いても良い。ドロネー三角形分割法とは、複数のシード点ｐのうち、隣接するシード点同士を繋いで三角形状の領域を画定する方法である。これにより、例えば、複数のシード点のいずれかを頂点とする複数のドロネー三角形の領域をそれぞれ画定することができる。
また、本発明において用いられるランダムメッシュパターンとしては、上記のボロノイ多角形やドロネー三角形等の開口部（セル）の形状を持つランダムメッシュパターンに限定されず、ランダムメッシュパターンであれば、どのようなものであっても良い。
例えば、菱形などの正多角形の規則的な定型パターンを数％、例えば１０％以下ランダム化したランダムメッシュパターン等であっても良い。なお、このようなランダムメッシュパターンには、正多角形の規則的な定型パターンのピッチのみランダム化したものや、角度のみをランダム化したものは含まない。
このような異方性を有するランダムメッシュパターンとしては、例えば、図２３に示すようなランダムメッシュパターンを挙げることができる。
【００３０】
図２３に示すようなランダムメッシュパターンは、周波数ピーク強度も指向性も強い規則的な定型メッシュパターン（以下、定型パターンともいう）と、周波数ピーク強度も指向性も弱いボロノイ多角形やドロネー三角形等の開口部（セル）の形状を持つランダムメッシュパターン（以下、代表して単にボロノイランダムパターンともいう）との中間の指向性のあるランダムパターンである。
ここで、図２３に示す異方性ランダムメッシュパターン２５ｂは、開口部２２の開口形状の原図形が菱形であり、開口部２２の開口重心が平均値で数％、例えば５％程度、好ましくは、１０％〜１５％、より好ましくは、１５％〜２０％ばらついているもので、以下のようにして作製することができる。
【００３１】
先ず、図２４（Ａ）に示すように、１つの平面領域１１０内において、菱形などの閉空間の重心となる点として、任意の間隔で無作為に選択された複数の位置、例えば乱数等を用いて任意の間隔で複数の位置にシード点（ドット）ｐを配置したドット切り出し画像１１２を作製する。なお、予め平面領域１１０内に規則的にドットを配置しておき、そのドット間の間隔を、標準偏差等を用いて３６０度任意の方向にずらすことにより、シード点ｐを配置しても良い。
次に、図２４（Ｂ）に示すように、平面領域１１０内に配置された、図２４（Ａ）に示すシード点ｐの位置に開口部２２となる菱形パターン１１４を、隣接する菱形パターン１１４が互いに離間し、両者の間に境界領域１１６が存在するように、畳み込んで、菱形パターン画像１１８を作製する。図示例では、シード点ｐに菱形パターン１１４を畳み込んでいるが、本発明は菱形に限定されず、正三角形、二等辺三角形等の三角形、正方形、長方形（矩形）、平行四辺形等の四角形、正五角形等の五角形、正六角形等六角形などの正多角形を含む多角形であっても良い。
【００３２】
次に、図２４（Ｂ）に示す菱形パターン画像１１８の境界領域１１６を細線化するために、細線化処理、例えばmathworks社製matlabの細線化処理を実施する。
ここで、細線化処理は、境界領域１１６の縁部のピクセルを除去することにより境界領域１１６を収縮させ、菱形パターン１１４の縁部にピクセルを除去することにより菱形パターン１１４を膨張させることを繰り返して、同一線幅の細線となるように細線化する。
こうして、図２３に示すランダムメッシュパターン２５ｂを形成することができる。
このような形状の金属細線１４は、銀などの金属層をエッチング等の公知方法により、容易に形成することができる。
なお、異方性を有するランダムメッシュパターンとしては、原図形が図２４（Ｂ）に示す菱形１１４である図２３に示すランダムメッシュパターン２５ｂに加え、例えば、原図形が図２４（Ｂ）に示す菱形１１４とは異なる菱形である図２５（Ａ）に示すランダムメッシュパターン２５ｃ、原図形が六角形である図２５（Ｂ）に示すランダムメッシュパターン２５ｄ、原図形が平行四辺形である図２５（Ｃ）に示すランダムメッシュパターン２５ｅ等も挙げることができる。
なお、以下では、図２に示すランダムメッシュパターン２５ａを代表例として説明するが、図２３、並びに図２５（Ａ）、（Ｂ）及び（Ｃ）に示すランダムメッシュパターン２５ｂ、２５ｃ、２５ｄ、及び２５ｅも同様に適用可能なことは勿論である。
【００３３】
なお、詳細は、後述するが、本発明の導電性フィルム１０は、上側及び下側の配線パターン２４ａ及び２４ｂの合成配線パターン２４とした時に、表示ユニットのＢＭパターンの所定の明度（明度画像データ）に対してノイズ視認性の点で最適化されたランダムメッシュパターンを持つものである。なお、本発明では、所定の明度のＢＭパターンに対してノイズ視認性の点で最適化された菱形の配線パターンとは、合成配線パターン２４とした時に、所定の明度のＢＭパターンに対してノイズが人間の視覚に知覚されない１又は２以上の１群の菱形の配線パターンを言う。なお、ノイズの視認性とは、本明細書では、ノイズが視認できない程度をいう。
したがって、図２に示すランダムメッシュパターン２５ａは、合成配線パターン２４とした時に、表示ユニットのＢＭパターンの所定の明度（明度画像データ）に対してノイズ視認性の点で最適化されたランダムメッシュパターンであり、ランダムメッシュパターン２５ａの透過率画像データが上側及び下側の配線パターン２４ａ及び２４ｂとして重ねあわされた合成配線パターン２４の合成画像データと、ディスプレイの複数色の光をそれぞれ点灯した時の各色のＢＭパターンの明度画像データとから求められるノイズの評価指標が所定評価閾値以下となるランダムメッシュパターンであり、それ自体で、所定発光強度のディスプレイの表示画面に重畳して、十分にノイズの発生を抑制でき、視認性を向上させることができる、表示ユニットの所定の明度のＢＭパターンに対してノイズ視認性の点で最適化されたランダムメッシュパターンであるということができる。
【００３４】
なお、このような最適化されたランダムメッシュパターン２５ａには、開口部２２を構成する金属細線１４の辺（メッシュ配線２１）に断線(ブレーク)が入っていてもよい。このようなブレークのあるメッシュ状配線パターンの形状としては、本出願人の出願に係る特願２０１２−２７６１７５号明細書に記載の導電性フィルムのメッシュ状配線パターンの形状を適用することができる。
【００３５】
図１に示す実施の形態の導電性フィルム１０では、図１中、透明基体１２の上側（観察側）の第１配線部１６ａの複数の金属細線１４も、下側（ディスプレイ側）の第２配線部１６ｂの複数の金属細線１４も、図２に示す不規則性が付与されたランダムメッシュパターン２５ａをそれぞれ配線パターン２４ａ及び２４ｂとして有し、図４に示すように、上下の不規則性が付与された配線パターン２４ａ及び２４ｂの重ね合わせによる不規則性が付与された合成配線パターン２４を構成する。なお、図４及び後述する図５では、理解しやすいように、上側の配線パターン２４ａを構成する複数の金属細線１４を太線で、下側の配線パターン２４ｂを構成する複数の金属細線１４を細線で示しているが、太線及び細線の幅は、金属細線１４の線幅を表すものではないことは勿論であり、同じであっても、異なっていても良い。
【００３６】
即ち、図１に示す例では、第１及び第２の配線部１６ａ及び１６ｂを、共に、図２に示すような不規則性が付与されたランダムメッシュパターン２５ａを持つ複数の金属細線で構成しているが、本発明はこれに限定されず、いずれか一方の配線部１６の少なくとも一部に図２に示す不規則性が付与されたランダムメッシュパターン２５ａを持つ複数の金属細線を有していればよい。
このように、導電性フィルムの上側又は下側の配線部１６（配線部１６ａ又は１６ｂ）の全部又は一部の金属細線を不規則性が付与（ランダム化）されたランダムメッシュパターン２５ａで構成することにより、両配線部１６の配線パターンの重ね合わせによって合成されたメッシュ状配線パターンをランダム化して、メッシュ状配線パターンを透過してくる光をランダムにすることができ、配線パターンとディスプレイの干渉によるノイズ視認性を改善することができる。
例えば、図５に示すように、第１及び第２の配線部１６ａ及び１６ｂを、異なる配線パターンを持つ複数の金属細線で構成しても良い。図５に示す例では、透明基体１２の上側の第１配線部１６ａを、図２に示す不規則性が付与されたランダムメッシュパターン２５ａを持つ複数の金属細線１４で構成し、透明基体１２の下側の第２配線部１６ｂを、菱形形状の開口部からなる規則的な定型パターン２７を持つ複数の金属細線１４で構成しているが、逆に、第１配線部１６ａを、定型パターン２７を持つ複数の金属細線１４で、第２配線部１６ｂを、ランダムメッシュパターン２５ａを持つ複数の金属細線１４で構成しても良い。こうして、ランダムメッシュパターン２５ａと規則的な定型パターン２７との重ね合わせによる合成配線パターンに不規則性を付与することができる。
【００３７】
又は、図６に示すように、第１及び第２の配線部１６ａ及び１６ｂの少なくとも一方の複数の金属細線１４を、上述したように、断線（ブレーク）によって、配線層２８を構成する電極部１７と、ダミー電極部（非電極部）２６とに分断し、電極部１７及びダミー電極部２６のいずれか一方を、図２に示すランダムメッシュパターン２５ａを持つ複数の金属細線１４で構成し、他方を、規則的な定型パターン２７（図５参照）を持つ複数の金属細線１４で構成して、後述する図７に示すような本発明の第２の実施形態の導電性フィルム１１のような形態としても良い。こうして、ランダムメッシュパターン２５ａ及び規則的な定型パターン２７の組み合わせと、ランダムメッシュパターン２５ａ又は定型パターン２７との重ね合わせによる合成配線パターン、又はランダムメッシュパターン２５ａ及び定型パターン２７の組み合わせ同士の重ね合わせによる合成配線パターンに不規則性を付与することができる。
なお、図６においては、透明基体１２の上側の第１配線部１６ａを断線（ブレーク）によって電極部１７ａと、その両側の２つのダミー電極部２６に分断し、２つのダミー電極部２６を図２に示すランダムメッシュパターン２５ａを持つ複数の金属細線１４で構成し、電極部１７ａを、規則的な定型パターン２７を持つ複数の金属細線１４で構成しているが、逆でも良いのはもちろんである。
【００３８】
なお、図４、図５及び図６等に示す例においては、第１配線部１６ａ及び第２配線部１６ｂの両方を複数の金属細線１４で構成しているが、本発明は、これに限定されず、一方の配線部を、複数の金属細線１４の代わりに、ＩＴＯ（Indium Tin Oxide：酸化インジウムスズ（スズドープ酸化インジウム））等の透明導電膜によるパターン化された配線で構成しても良い。
例えば、図５に示す例やその逆の例などにおいては、第１配線部１６ａ及び第２配線部１６ｂの一方の規則的な定型パターン２７を持つ複数の金属細線１４の代わりに、ＩＴＯによるパターン化された配線を用いても良い。
また、図６に示すように、第１配線部１６ａ及び第２配線部１６ｂの一方が、断線（ブレーク）によって電極部１７ａとその両側の２つのダミー電極部２６に分断され、電極部１７ａ及びダミー電極部２６の一方がランダム化された配線パターンを持つ複数の金属細線１４で構成されている場合には、他方の配線部を構成する複数の金属細線１４の代わりに、ＩＴＯによるパターン化された配線を用いても良い。
なお、図７に示す本発明の第２の実施形態の導電性フィルム１１の構造については、後述する。
【００３９】
上述したように、第１保護層２０ａは、第１配線部１６ａの金属細線１４を被覆するように、第１接着層１８ａによって第１配線部１６ａからなる配線層２８ａの略全面に接着されている。また、第２保護層２０ｂは、第２配線部１６ｂの金属細線１４を被覆するように、第２接着層１８ｂによって第２配線部１６ｂからなる配線層２８ｂの略全面に接着されている。
ここで、接着層１８（第１接着層１８ａ及び第２接着層１８ｂ）の材料としては、ウェットラミネート接着剤、ドライラミネート接着剤、又はホットメルト接着剤等が挙げられるが、第１接着層１８ａの材質と第２接着層１８ｂの材質とは、同一であってもよいし、異なってもよい。
また、保護層２０（第１保護層２０ａ及び第２保護層２０ｂ）は、透明基体１２と同様に、樹脂、ガラス、シリコンを含む透光性が高い材料からなるが、第１保護層２０ａの材質と第２保護層２０ｂの材質とは、同一であってもよいし、異なってもよい。
【００４０】
第１保護層２０ａの屈折率ｎ１及び第２保護層２０ｂの屈折率ｎ２は、いずれも、透明基体１２の屈折率ｎ０に等しいか、これに近い値であるのが好ましい。この場合、第１保護層２０ａに対する透明基体１２の相対屈折率ｎｒ１及び第２保護層２０ｂに対する透明基体１２の相対屈折率ｎｒ２は、共に１に近い値となる。
ここで、本明細書における屈折率は、波長５８９．３ｎｍ（ナトリウムのＤ線）の光における屈折率を意味し、例えば樹脂では、国際標準規格であるＩＳＯ  １４７８２：１９９９（ＪＩＳ  Ｋ  ７１０５に対応）で定義される。また、第１保護層２０ａに対する透明基体１２の相対屈折率ｎｒ１は、ｎｒ１＝（ｎ１／ｎ０）で定義され、第２保護層２０ｂに対する透明基体１２の相対屈折率ｎｒ２は、ｎｒ２＝（ｎ２／ｎ０）で定義される。
ここで、相対屈折率ｎｒ１及び相対屈折率ｎｒ２は、０．８６以上１．１５以下の範囲にあればよく、より好ましくは、０．９１以上１．０８以下である。
なお、相対屈折率ｎｒ１及び相対屈折率ｎｒ２の範囲をこの範囲に限定して、透明基体１２と保護層２０（２０ａ、２０ｂ）との部材間の光の透過率を制御することにより、ノイズの視認性をより向上させ、改善することができる。
【００４１】
図１に示す実施の形態の導電性フィルム１０では、透明基体１２の上側及び下側の両側の配線部１６（１６ａ及び１６ｂ）は、いずれも複数の金属細線１４を備える電極部となっているが、本発明はこれに限定されず、第１及び第２配線部１６ａ及び１６ｂの少なくとも一方を電極部と非電極部（ダミー電極部）とによって構成しても良い。
図７は、本発明の第２の実施形態に係る導電性フィルムの一例を示す模式的部分断面図である。なお、図７に示す本第２の実施形態の導電性フィルムの配線パターンの平面図は、図２、図４及び図５に示す配線パターンの平面図と同様であるのでここでは省略する。
【００４２】
同図に示すように、本第２の実施形態の導電性フィルム１１は、透明基体１２の一方（図７の上側）の面に形成された第１電極部１７ａ及びダミー電極部２６からなる第１配線部１６ａと、透明基体１２の他方（図７の下側）の面に形成された第２電極部１７ｂからなる第２配線部１６ｂと、第１電極部１７ａ及びダミー電極部２６からなる第１配線部１６ａの略全面に第１接着層１８ａを介して接着された第１保護層２０ａと、第２電極部１７ｂからなる第２配線部１６ｂの略全面に第２接着層１８ｂを介して接着された第２保護層２０ｂとを有する。
【００４３】
導電性フィルム１１においては、第１電極部１７ａ及びダミー電極部２６は、それぞれ複数の金属細線１４からなり、共に、透明基体１２の一方（図７の上側）の面に配線層２８ａとして形成され、第２電極部１７ｂは、複数の金属細線１４からなり、透明基体１２の他方（図７下側）の面に配線層２８ｂとして形成されている。ここで、ダミー電極部２６は、第１電極部１７ａと同様に、透明基体１２の一方（図７の上側）の面に形成されるが、図示例のように、他方（図７の下側）の面に形成された第２電極部１７ｂの複数の金属細線１４に対応する位置に同様に配列された複数の金属細線１４からなる。
【００４４】
ダミー電極部２６は、第１電極部１７ａと所定間隔だけ離間して配置されており、第１電極部１７ａと電気的に絶縁された状態下にある。
本実施形態の導電性フィルム１１においては、透明基体１２の一方（図７の上側）の面にも、透明基体１２の他方（図７の下側）の面に形成されている第２電極部１７ｂの複数の金属細線１４に対応する複数の金属細線１４からなるダミー電極部２６を形成しているので、透明基体１２の一方（図７の上側）の面での金属細線による散乱を制御することができ、電極視認性を改善することができる。
【００４５】
ここで、配線層２８ａの第１電極部１７ａ及びダミー電極部２６は、金属細線１４と開口部２２によるメッシュ状の配線パターン２４ａとを有する。また、配線層２８ｂの第２電極部１７ｂは、第１電極部１７ａと同様に、金属細線１４と開口部２２によるメッシュ状の配線パターン２４ｂを有する。上述したように、透明基体１２は絶縁性材料からなり、第２電極部１７ｂは、第１電極部１７ａ及びダミー電極部２６と電気的に絶縁された状態下にある。
なお、第１、第２電極部１７ａ、１７ｂ及びダミー電極部２６は、それぞれ図１に示す導電性フィルム１０の配線部１６と同様の材料で同様に形成することができる。
【００４６】
なお、第１保護層２０ａは、第１配線部１６ａの第１電極部１７ａ及びダミー電極部２６のそれぞれの金属細線１４を被覆するように、第１接着層１８ａによって第１電極部１７ａ及びダミー電極部２６からなる配線層２８ａの略全面に接着されている。
また、第２保護層２０ｂは、第２配線部１６ｂの第２電極部１７ｂの金属細線１４を被覆するように、第２接着層１８ｂによって第２電極部１７ｂからなる配線層２８ｂの略全面に接着されている。
なお、図７に示す導電性フィルム１１の第１及び第２接着層１８ａ及び１８ｂ、並びに第１及び第２保護層２０ａ及び２０ｂは、図１に示す導電性フィルム１０と同様であるので、その説明は省略する。
【００４７】
なお、本実施形態の導電性フィルム１１では、第２電極部１７ｂを備える第２配線部１６ｂは、ダミー電極部を有していないが、本発明はこれに限定されず、第２配線部１６ｂにおいて、第１配線部１６ａの第１電極部１７ａに対応する位置に、第１電極部１７ａから所定間隔だけ離間して、第２電極部１７ｂと電気的絶縁された状態下にある、金属細線１４からなるダミー電極部を配置しても良い。
本実施形態の導電性フィルム１１においても、上記第１配線部１６ａにダミー電極部２６ａを設け、また、第２配線部１６ｂにこのようなダミー電極部を設けることにより、第１配線部１６ａの第１電極部１７ａと第２配線部１６ｂの第２電極部１７ｂの各メッシュ配線を対応して配置することができるので、透明基体１２の一方（例えば、図７の上側又は下側）の面での金属細線による散乱を制御することができ、電極視認性を改善することができる。
【００４８】
図１及び図７に示す第１及び第２の実施形態の導電性フィルム１０及び１１では、透明基体１２の上側及び下側の両側に、それぞれ配線部１６（１６ａ及び１６ｂ）が形成されているが、本発明はこれに限定されず、図８に示す本発明の第３の実施形態の導電性フィルム１１Ａのように、透明基体１２の一方の面（図８中上側の面）に複数の金属細線１４からなる配線部１６を形成し、配線部１６の略全面に、金属細線１４を被覆するように、接着層１８を介して保護層２０を接着した導電性フィルム要素を２つ重ねる構造としても良い。
図８に示す本発明の第３の実施形態の導電性フィルム１１Ａは、図８中、下側の透明基体１２ｂと、この透明基体１２ｂの上側面に形成された複数の金属細線１４からなる第２配線部１６ｂと、第２配線部１６ｂ上に第２接着層１８ｂを介して接着される第２保護層２０ｂと、第２保護層２０ｂ上に、例えば接着剤等により接着されて配置される上側の透明基体１２ａと、この透明基体１２ａの上側面に形成された複数の金属細線１４からなる第１配線部１６ａと、第１配線部１６ａ上に接着層１８ａを介して接着される保護層２０ａとを有する。
ここで、第１配線部１６ａ及び／又は第２配線部１６ｂの金属細線１４の少なくとも一方の全部又は一部は、図２に示す不規則性が付与されたランダムメッシュパターン２５ａである。
【００４９】
上述した本発明の第１、第２及び第３の実施形態の導電性フィルム１０、１１及び１１Ａは、例えば、図９に模式的に示す表示ユニット３０（ディスプレイ）のタッチパネル（４４：図１０参照）に適用されるが、少なくとも１視点において、ディスプレイの発光強度に依存する各色の画素配列（ＢＭ）パターンの明度値に対して合成配線パターンとした時にノイズ視認性の点で最適化された不規則配線パターンを持つものである。
なお、本発明では、ディスプレイの発光強度に依存する各色のＢＭパターンの明度値に対して合成配線パターンとした時にノイズ視認性の点で最適化された不規則配線パターン（ランダムメッシュパターン）とは、少なくとも１視点において、ディスプレイの複数の副画素の各色の光を単独で点灯した時にいずれにおいても、当該色のＢＭパターンに対して合成配線パターンとした時にノイズが人間の視覚に知覚されない１又は２以上の１群のランダムメッシュパターンを言う。即ち、最適化されたランダムメッシュパターンとは、複数色の光、例えば、ＲＧＢ単体点灯時に、最もノイズが生じやすい色、例えば、最も高い明度値を持つ色のＢＭパターン、換言すれば、最悪値を取るＢＭパターンに対して合成配線パターンとした時にノイズが人間の視覚に知覚されない１群の配線パターンを言う。なお、本発明では、最適化された２以上の１群のランダムメッシュパターンにおいても、最も知覚されないランダムメッシュパターンから知覚されにくいランダムメッシュパターンまで序列を付けることができ、最もノイズが知覚されない１つのランダムメッシュパターンを決定することもできる。
【００５０】
ここで、本発明において、配線パターンのノイズ視認性の最適化において、ディスプレイの発光強度に依存する各色のＢＭパターンの明度値を用いる理由は、例えば、導電性フィルムが図１１（Ａ）に示すような金属細線の線幅と平均ピッチを持つ配線パターンであり、ディスプレイが、図１１（Ａ）に示すような１つの画素が１つの副画素によって代表されるＢＭパターンを持つ時、ディスプレイの１画素に対して考慮すると、配線パターンの透過率データは、図１１（Ｃ）及び（Ｅ）に示すように、本発明においても、特許文献１のような従来技術においても、金属細線の線幅に相当する部分は、非透過であるため０、金属細線間は、透過であるために１．０とすることができ、いずれも２値化データとなり、全く同じとなる。しかし、ディスプレイのＢＭは非透過であるため０となるが、副画素（色フィルタ）は光が透過するが、その光の強度、例えば明度値は、図１１（Ｄ）に示すように、ディスプレイの発光強度に依存して変化する。一方、特許文献１のような従来技術において対象とする、ディスプレイの副画素（色フィルタ）の配列パターン、即ちＢＭパターンの透過率データは、図１１（Ｆ）に示すように、ディスプレイの副画素（色フィルタ）では透過で１．０、ディスプレイのＢＭでは不透過で０として取り扱うので、ディスプレイの発光強度が考慮されない。
【００５１】
一方、高解像度スマートフォンのように、発光強度が強ければ、視認されるノイズは強くなり、発光強度が弱ければければ、視認されるノイズも弱くなるため、従来技術のように、透過率データのみでは、発光強度の異なるディスプレイに対して求まるノイズの評価指標、即ち定量値は、比較することができなくなり、ノイズの視認性を正しく評価できなくなる。
このため、本発明においては、基準となるディスプレイの発光強度を基準として他のディスプレイの発光強度を評価して、規格化することにより、種々の発光強度の異なるディスプレイに適用可能な配線パターンのノイズ視認性の最適化を行うことができる。
なお、本発明において必須となる、ディスプレイの発光強度に依存する各色のＢＭパターンの明度値に対する不規則（ランダム）配線パターンのノイズ視認性の最適化については、後述する。
本発明の導電性フィルムは、基本的に以上のように構成される。
【００５２】
図９は、本発明の導電性フィルムが適用される表示ユニットの一部の画素配列パターンの一例を模式的に表す概略説明図である。
図９にその一部を示すように、表示ユニット３０には、複数の画素３２がマトリクス状に配列されて所定の画素配列パターンが構成されている。１つの画素３２は、３つの副画素（赤色副画素３２ｒ、緑色副画素３２ｇ及び青色副画素３２ｂ）が水平方向に配列されて構成されている。１つの副画素は垂直方向に縦長とされた長方形状とされている。画素３２の水平方向の配列ピッチ（水平画素ピッチＰｈ）と画素３２の垂直方向の配列ピッチ（垂直画素ピッチＰｖ）は略同じとされている。つまり、１つの画素３２とこの１つの画素３２を囲むブラックマトリクス（ＢＭ）３４（パターン材）にて構成される形状（網掛けにて示す領域３６を参照）は正方形となっている。また、１つの画素３２のアスペクト比は１ではなく、水平方向（横）の長さ＞垂直方向（縦）の長さとなっている。
【００５３】
図９から明らかなように、複数の画素３２の各々の副画素３２ｒ、３２ｇ及び３２ｂによって構成される画素配列パターンは、これらの副画素３２ｒ、３２ｇ及び３２ｂをそれぞれ囲むＢＭ３４のＢＭパターン３８によって規定され、表示ユニット３０と導電性フィルム１０又は１１とを重畳した時に発生するノイズは、表示ユニット３０のＢＭ３４のＢＭパターン３８と導電性フィルム１０又は１１の配線パターン２４との干渉によって発生するので、厳密には、ＢＭパターン３８は、画素配列パターンの反転パターンであるが、ここでは、同様のパターンを表すものとして扱う。
【００５４】
上記したＢＭ３４によって構成されるＢＭパターン３８を有する表示ユニット３０の表示パネル上に、例えば、導電性フィルム１０、１１又は１１Ａを配置する場合、導電性フィルム１０、１１又は１１Ａの配線パターン２４（配線パターン２４ａと２４ｂの合成配線パターン）は、配線パターン２４ａと２４ｂとの少なくとも一方がランダムメッシュパターン２５ａであり、ＢＭ（画素配列）パターン３８に対してノイズ視認性の点で最適化されているので、画素３２の配列周期と、導電性フィルム１０、１１又は１１Ａの金属細線１４の配線配列との間における空間周波数の干渉が弱まり、ノイズの発生が抑制され、ノイズの視認性に優れたものとなる。以下では、導電性フィルム１０を代表例として説明するが、導電性フィルム１１及び１１Ａでも同様である。
なお、図９に示す表示ユニット３０は、液晶パネル、プラズマパネル、有機ＥＬパネル、無機ＥＬパネル等の表示パネルで構成されても良く、その発光強度は、解像度に応じて異なるものであって良い。
【００５５】
本発明に適用可能なディスプレイのＢＭパターン及びその発光強度は、特に制限的ではなく、従来公知のいかなるディスプレイのＢＭパターン及びその発光強度であっても良いが、例えば、図１２（Ａ）及び（Ｂ）、並びに図１３（Ａ）、（Ｂ）及び（Ｃ）に示すような、ＯＬＥＤ等のＲＧＢの各色の周期や強度が異なるものであっても良いし、図９や図１４（Ａ）及び（Ｂ）に示すような同一形状のＲＧＢ副画素からなり、副画素内の強度ばらつきが大きいものや、副画素内の強度ばらつきが小さく、最も強度の高いＧ副画素（チャネル）だけ考慮すればよいものであっても良いし、特に、スマートフォンやタブレット等のような強度の高いディスプレイ等であっても良い。
【００５６】
図１２（Ａ）は、それぞれ本発明の導電性フィルムが適用される表示ユニットの画素配列パターンの一例を模式的に表す概略説明図及びその一部の部分拡大図である。
図１２（Ａ）に示すように、表示ユニット３０には、複数の画素３２がマトリクス状に配列されて所定の画素配列パターンが構成されている。図１２（Ａ）に示すように、１つの画素３２は、３つの副画素（赤色副画素３２ｒ、緑色副画素３２ｇ及び青色副画素３２ｂ）が水平方向に配列されて構成されている。
本発明においては、表示ユニットの画素配列パターンが、１画素内の複数、図示例では３つの副画素の内の少なくとも２つの副画素が異なる形状を有しているか、１画素内の複数（３つ）の副画素の内の少なくとも２つについて各副画素の配列によって形成される副画素配列パターンの周期が異なるか、１画素内の複数（３つ）の副画素が１つの方向に一列に並んでいないか、３つの条件のいずれかを満たす必要がある。なお、本発明においては、副画素配列パターンの周期、すなわち、副画素（カラーフィルタ）の周期には、一画素内の副画素の周期も含まれる。
【００５７】
図１２（Ｂ）示す例においては、副画素３２ｒは、図中ｙ（垂直）方向に縦長とされた菱形形状とされて、正方形の画素３２の図中左側に配置されており、副画素３２ｇは、円形状とされて、画素３２の図中右下側に配置されており、副画素３２ｂは、矩形状（正方形状）とされて、画素３２の図中右上側に配置されている。図１２（Ａ）及び（Ｂ）に示す表示ユニット３０は、その画素配列パターン３８が１画素内の３つの副画素３２ｒ、３２ｇ及び３２ｂの形が異なり、強度が異なる場合に相当し、かつ１画素内の複数（３つ）の副画素が１つの方向に一列をなさない場合に相当する。
図示例では、画素３２の水平方向の配列ピッチ（水平画素ピッチＰｈ）と画素３２の垂直方向の配列ピッチ（垂直画素ピッチＰｖ）は略同じとされており、画素ピッチＰｄで表すことができる。即ち、１つの画素３２の３つの副画素３２ｒ、３２ｇ及び３２ｂからなる領域と、これらの副画素３２ｒ、３２ｇ及び３２ｂを囲むブラックマトリクス（ＢＭ）３４（パターン材）にて構成される画素域領域３６は正方形となっている。なお、画素域領域３６は、１つの画素３２に対応するものであるので、以下では、画素領域３６を画素ともいう。
なお、画素ピッチＰｄ（水平及び垂直画素ピッチＰｈ、Ｐｖ）は、表示ユニット３０の解像度に応じたピッチであれば、如何なるピッチでも良く、例えば、８４μｍ〜２６４μｍの範囲内のピッチを挙げることができる。
【００５８】
なお、図示例では、１つの画素内の副画素３２ｒ、３２ｇ、３２ｂの形状は、それぞれ菱形、円形、正方形であるが、本発明はこれに限定されず、図９に示すような同じ形の３つの副画素が図中水平方向に一列に並んだ１つの画素３２が図中水平方向及び垂直方向に繰り返され、副画素（カラーフィルタ）の周期及び強度がＲＧＢの３つの副画素で全て同じになる画素配列パターン３８を持つものであっても良い。
又は、図１３（Ａ）〜（Ｃ）に示すピンタイル構造と呼ばれる開口形状の副画素（カラーフィルタ）３２ｒ、３２ｇ、３２ｂであっても良く、これらの副画素３２ｒ、３２ｇ、３２ｂからなる画素配列パターンを持つものであっても良い。
【００５９】
図１３（Ａ）に示すように、画素３２の３つの副画素３２ｒ、３２ｇ、３２ｂの形が異なって（形状は長方形であるが、大きさが異なって）いても良い。この場合は、強度が異なる場合に相当する。なお、この場合には、副画素の周期は同一であると言える。
即ち、図１３（Ａ）に示す例では、このような形が異なる３つの副画素３２ｒ、３２ｇ、３２ｂを１画素として画素配列パターン３８ａが形成され、３つの副画素３２ｒ、３２ｇ、３２ｂのそれぞれの副画素配列パターンの周期は、いずれも画素配列パターン３８ａの周期と同じになる。
なお、本発明においては、副画素の形が異なるとは、副画素の形状が異なる場合のみならず、副画素の大きさが異なる場合も含まれるものと定義される。
【００６０】
また、図１３（Ｂ）に示すように、３つの副画素３２ｒ、３２ｇ、３２ｂの形が同じであっても、副画素３２ｇと、副画素３２ｒ、３２ｂとの繰り返し周期（副画素配列パターンの周期）は異なっていても良い。この例では、副画素３２ｇの周期は、副画素３２ｒ、３２ｂの周期の半分である。なお、この場合には、副画素の強度は同一であると言える。
即ち、図１３（Ｂ）に示す例では、２つの副画素３２ｇと、副画素３２ｒ、３２ｂとの４つの副画素を１画素３２として画素配列パターン３８ｂが形成され、副画素３２ｒ、３２ｂのそれぞれの副画素配列パターンの周期は、いずれも画素配列パターン３８ａの周期と同じになるが、副画素３２ｇの副画素配列パターンの周期は、画素配列パターン３８ａの周期の半分となる。
【００６１】
さらに、図１３（Ｃ）に示すように、副画素３２ｇと、副画素３２ｒ、３２ｂとは、繰り返し周期（副画素パターンの周期）も、形（形状も大きさも）も異なっていても良い。この場合は、副画素の周期も、強度も異なる場合に相当する。
即ち、図１３（Ｃ）に示す例では、図１３（Ｃ）に示す例と同様に、２つの副画素３２ｇと、副画素３２ｒ、３２ｂとの４つの副画素を１画素３２として画素配列パターン３８ｃが形成され、副画素３２ｒ、３２ｂのそれぞれの副画素配列パターンの周期は、いずれも画素配列パターン３８ａの周期と同じになるが、副画素３２ｇの副画素配列パターンの周期は、画素配列パターン３８ａの周期の半分となる。
【００６２】
また、図１４（Ａ）は、ＧＢＲ副画素内の強度ばらつきが大きい同一形状のＲＧＢ副画素からなる画素のＢＭ構造を示し、図１４（Ｂ）は、ＧＢＲ副画素内の強度ばらつきが小さい同一形状のＲＧＢ副画素からなる画素のＢＭ構造を示し、最も強度の高いＧ副画素だけ考慮すれば導電性フィルムの配線パターンの設計が可能なものである。
なお、本発明に用いることのできるディスプレイの２×２画素のＢＭの解像度及び強度を図１５（Ａ１）〜図１５（Ｈ２）に示す。図１５（Ａ１）〜図１５（Ｈ２）に示す各ＢＭは、それぞれ、解像度、形状、及び強度（明度）のいずれかが異なるものである。図１５（Ａ１）〜図１５（Ｈ２）においては、Ｇチャネル（Ｇ副画素）のみが示され、Ｂチャネル（Ｂ副画素）及びＲチャネル（Ｒ副画素）は示されていないが、その解像度及び形状は同一であるのは勿論である。
図１５（Ａ１）及び（Ａ２）は、共に、解像度が１４９ｄｐｉで、図中中心で左側に折れ曲がった短冊形状の４つのＧ副画素を示し、基準となるディスプレイにおける強度で規格化した時の強度が、それぞれ、０．５及び１．０であることを示し、後述する実施例において用いたＢＭＮｏ．１及び２のＢＭに相当する。
【００６３】
図１５（Ｂ１）及び（Ｂ２）は、共に、解像度が２２２ｄｐｉで、図中縦に連続する帯形状の４つのＧ副画素を示し、基準となるディスプレイにおける強度で規格化した時の強度が、それぞれ、０．５及び１．０であることを示し、後述する実施例において用いたＢＭＮｏ．３及び４のＢＭに相当する。
図１５（Ｃ１）及び（Ｃ２）は、共に、解像度が２６５ｄｐｉで、図中横方向に並ぶ平板形状の４つのＧ副画素を示し、基準となるディスプレイにおける強度で規格化した時の強度が、それぞれ、０．５及び１．０であることを示し、後述する実施例において用いたＢＭＮｏ．５及び７のＢＭに相当する。
図１５（Ｄ１）及び（Ｄ２）は、共に、解像度が２６５ｄｐｉで、図中縦方向に並ぶ細い帯形状の４つのＧ副画素を示し、基準となるディスプレイにおける強度で規格化した時の強度が、それぞれ、０．５及び１．０であることを示し、後述する実施例において用いたＢＭＮｏ．６及び８のＢＭに相当する。
【００６４】
図１５（Ｅ１）及び（Ｅ２）は、共に、解像度が３２６ｄｐｉで、図中横方向に並ぶ矩形状の４つのＧ副画素を示し、基準となるディスプレイにおける強度で規格化した時の強度が、それぞれ、０．５及び１．０であることを示し、後述する実施例において用いたＢＭＮｏ．９及び１０のＢＭに相当する。
図１５（Ｆ１）及び（Ｆ２）は、共に、解像度が３８４ｄｐｉで、図中４角方向に並ぶ小矩形状の４つのＧ副画素を示し、基準となるディスプレイにおける強度で規格化した時の強度が、それぞれ、０．５及び１．０であることを示し、後述する実施例において用いたＢＭＮｏ．１１及び１３のＢＭに相当する。
図１５（Ｇ１）及び（Ｇ２）は、共に、解像度が３８４ｄｐｉで、図中４辺方向に並ぶ小三角形形状の４つのＧ副画素を示し、基準となるディスプレイにおける強度で規格化した時の強度が、それぞれ、０．５及び１．０であることを示し、後述する実施例において用いたＢＭＮｏ．１２及び１４のＢＭに相当する。
図１５（Ｈ１）及び（Ｈ２）は、共に、解像度が４４０ｄｐｉで、図中縦方向に並ぶ矩形状の４つのＧ副画素を示し、基準となるディスプレイにおける強度で規格化した時の強度が、それぞれ、０．５及び１．０であることを示し、後述する実施例において用いたＢＭＮｏ．１５及び１６のＢＭに相当する。
【００６５】
上述したＲＧＢの副画素配列パターンを定義するＢＭ３４によって構成されるＢＭパターン３８を有する表示ユニット３０の表示パネル上に、例えば、導電性フィルム１０、１１又は１１Ａを配置する場合、その配線パターン２４は、ＲＧＢの副画素配列パターンを含むＢＭ（画素配列）パターン３８の明度値に対してノイズ視認性の点で合成配線パターンとして最適化されたランダムメッシュパターンであるので、画素３２の配列周期や強度と、導電性フィルム１０、１１又は１１Ａの金属細線１４の配線配列との間における空間周波数の干渉が殆どなく、ノイズの発生が抑制されることになる。
【００６６】
ところで、ノイズの最適化を行う際に用いられるディスプレイの画素配列パターンは、厳密には、複数色、例えばＲＧＢの個々の副画素配列パターン、例えば、副画素の形状、繰り返し周波数等によって規定されるので、ディスプレイの解像度に対して副画素の解像度を正確に定義する必要があるが、本発明では、ディスプレイの画素配列パターンの光強度、例えば明度値（明度画像データ）を用いる必要があるので、強度・周波数の観点で言うと、どういう強度の副画素(単チャネルを示す)が、どういう配列をしているかが問題となるのみであるため、ＲＧＢを明確に分ける必要はない。したがって、ディスプレイに最適な不規則（ランダム）メッシュパターンを設計するには、ノイズの評価指標、即ち定量値を求める際に、ＲＧＢ単体点灯時の最悪値を利用すればよい。
【００６７】
次に、本発明の導電性フィルムを組み込んだ表示装置について、図１０を参照しながら説明する。図１０では、表示装置４０として、本発明の第２の実施の形態に係る導電性フィルム１０を組み込んだ投影型静電容量方式のタッチパネルを代表例に挙げて説明するが、本発明はこれに限定されないことは言うまでもない。
図１０に示すように、表示装置４０は、カラー画像及び／又はモノクロ画像を表示可能な表示ユニット３０（図９参照）と、入力面４２（矢印Ｚ１方向側）からの接触位置を検出するタッチパネル４４と、表示ユニット３０及びタッチパネル４４を収容する筐体４６とを有する。筐体４６の一面（矢印Ｚ１方向側）に設けられた大きな開口部を介して、ユーザは、タッチパネル４４にアクセス可能である。
【００６８】
タッチパネル４４は、上記した導電性フィルム１０（図１及び図２参照）の他、導電性フィルム１０の一面（矢印Ｚ１方向側）に積層されたカバー部材４８と、ケーブル５０を介して導電性フィルム１０に電気的に接続されたフレキシブル基板５２と、フレキシブル基板５２上に配置された検出制御部５４とを備える。
表示ユニット３０の一面（矢印Ｚ１方向側）には、接着層５６を介して、導電性フィルム１０が接着されている。導電性フィルム１０は、他方の主面側（第２配線部１６ｂ側）を表示ユニット３０に対向させて、表示画面上に配置されている。
【００６９】
カバー部材４８は、導電性フィルム１０の一面を被覆することで、入力面４２としての機能を発揮する。また、接触体５８（例えば、指やスタイラスペン）による直接的な接触を防止することで、擦り傷の発生や、塵埃の付着等を抑止可能であり、導電性フィルム１０の導電性を安定させることができる。
カバー部材４８の材質は、例えば、ガラス、樹脂フィルムであってもよい。カバー部材４８の一面（矢印Ｚ２方向側）を酸化珪素等でコートした状態で、導電性フィルム１０の一面（矢印Ｚ１方向側）に密着させてもよい。また、擦れ等による損傷を防止するため、導電性フィルム１０及びカバー部材４８を貼り合わせて構成してもよい。
【００７０】
フレキシブル基板５２は、可撓性を備える電子基板である。本図示例では、筐体４６の側面内壁に固定されているが、配設位置は種々変更してもよい。検出制御部５４は、導体である接触体５８を入力面４２に接触する（又は近づける）際、接触体５８と導電性フィルム１０との間での静電容量の変化を捉えて、その接触位置（又は近接位置）を検出する電子回路を構成する。
本発明の導電性フィルムが適用される表示装置は、基本的に以上のように構成される。
【００７１】
次に、本発明において、所定の強度（明度値）を持つ表示装置の画素配列（ＢＭ）パターンに対する導電性フィルムの配線パターンのノイズ視認性の最適化及びランダム化の手順について説明する。即ち、本発明の導電性フィルムにおいて、少なくとも１視点において、所定の強度の表示装置の所定の画素配列（ＢＭ）パターンに対してノイズが人間の視覚に知覚されないように最適化された不規則（ランダム）配線パターンを評価して決定する手順について説明する。
図１６は、本発明の導電性フィルムの評価方法の一例を示すフローチャートである。
【００７２】
本発明の導電性フィルムの配線パターンの評価方法は、まず、表示装置の表示ユニットの複数色（例えばＲＧＢ）の各色の単体点灯時のＢＭ（画素配列）パターンの明度画像データを取得する。また、導電性フィルムの上側と下側の一方に用いられる不規則配線パターンと他方に用いられる配線パターンとを生成し、それらの透過率データを得、それらの合成配線パターンの透過率データを取得する。ここで、他方に用いられる配線パターンは、不規則配線パターンであっても良いし、規則的な配線パターンであっても良い。
次に、合成配線パターンの透過率データとＢＭパターンとの高速フーリエ変換（ＦＦＴ）を用いた周波数解析により得られるノイズの周波数・強度から、表示ユニットの表示解像度に応じて規定されるノイズの最高周波数以下の周波数及び所定の強度を持つ各色についてのノイズ（周波数・強度）を選び出す。
次いで、選び出された各色についてのそれぞれのノイズの周波数におけるノイズの強度に人間の視覚応答特性を観察距離に応じて作用させてそれぞれ各色のノイズの評価値を得、得られた複数のノイズの定量値からノイズの評価指標（定量値）を算出する。
次に、算出されたノイズの評価指標が予め設定された条件を満たす合成配線パターンを構成する不規則配線パターンを、ノイズが視認されないように最適化された配線パターンとして評価し、最適化された不規則配線パターンとして決定するものである。
【００７３】
この本発明法では、ノイズの周波数／強度については一般的にＦＦＴが利用されるが、利用方法によっては、対象物の周波数／強度が大きく変化するため、以下の手順を規定している。
なお、導電性フィルムの上側と下側の配線部１６ａ及び１６ｂの一方が不規則配線パターンを持つ複数の金属細線１４で構成され、他方の配線部がＩＴＯ等の配線パターンを持つ透明導電膜で構成されている場合には、両者の合成配線パターンの透過率画像データは、一方の複数の金属細線１４で構成される不規則配線パターンの透過率画像データで表すことができるが、以下では、この場合も、両者の配線パターンの合成配線パターンの透過率画像データとして扱う。
【００７４】
本発明では、まずは、１つの視点として、表示装置の表示ユニットの表示画面を正面から観察する場合を考慮すればよいが、本発明はこれに限定されず、少なくとも１つの視点から観察した場合のノイズの視認性を向上させることができるものであれば、いずれの視点から観察したものであっても良い。
もちろん、本発明においては、表示画面を正面から観察する場合（正面観察時）と、表示画面を斜めから観察する場合（斜め観察時）とを考慮するのが好ましい。
以下では、撮像は、ＲＧＢ３色を副画素とするＢＭ（画素配列）パターンを各色毎に単体で点灯して行うものとして説明する。
【００７５】
本発明法においては、手順１として、図１６に示すように、まず、最初に、ステップＳ１０において、ディスプレイを定量的に取り扱うために、ディスプレイの透過率画像データ（ＢＭデータ）を作成する。
ここで、ステップＳ１０において行うディスプレイＢＭデータを作成する方法の詳細を図１７に示す。
図１７は、本発明の導電性フィルムの評価方法の内のディスプレイＢＭデータの作成方法の詳細の一例を示すフローチャートである。
図１７に示すように、まず、ステップＳ３０において、マイクロスコープによるディスプレイの撮像を行う。即ち、ステップＳ３０において、ＲＧＢの各色毎に、表示装置の表示ユニットの表示画面（各色の副画素配列パターンの画像）を撮像する。
【００７６】
このステップＳ３０では、まず、表示装置４０の表示ユニット３０をＲＧＢの各色毎に単独で点灯させる。この際、発光側（表示装置４０）の設定変更で行える範囲で明るさを最大にするのが好ましい。
次いで、ＲＧＢの各色それぞれの副画素点灯状態の下で副画素の画像の撮像を行う。例えば、図９、図１２（Ｂ）及び図１３（Ａ）〜（Ｃ）に示すような表示ユニット３０の画素配列パターン３８（３８ａ〜３８ｃ）の副画素（ＲＧＢカラーフィルタ）３２ｒ、３２ｇ、３２ｂのそれぞれの透過光を、マイクロスコープを使って撮影する。撮像においては、マイクロスコープのホワイトバランスをマクベスチャートの白に合わせるのが好ましい。
対象とするディスプレイや、撮像に用いるマイクロスコープ、レンズ、カメラは、特に制限的ではないが、例えば、ディスプレイは、ＬＰ１０１ＷＸ１（ＳＬ）（ｎ３）（ＬＧディスプレイ社製）、マイクロスコープは、ＳＴＭ６（オリンパス社製）、レンズは、ＵＭＰｌａｎＦＩ１０ｘ（オリンパス社製）、カメラは、ＱＩＣ−Ｆ−ＣＬＲ−１２−Ｃ（ＱＩＭＡＧＩＮＧ社製）を用いることができる。
【００７７】
本発明の実施例では、ディスプレイとして、ＬＰ１０１ＷＸ１（ＳＬ）（ｎ３）を用い、まず、Ｇチャネルのみを最大（ＭＡＸ）強度で点灯させ、マイクロスコープとしてオリンパス社製ＳＴＭ６を用い、対物レンズとして同社製のＵＭＰｌａｎＦＩ１０ｘを用いて撮像する。
この際、撮像条件は、例えば、露光時間が１２ｍｓ、ゲインが１．０、ホワイトバランス（Ｇ、Ｒ、Ｂ）は、（１．００、２．１７、１．１２）とすることができる。なお、撮像画像は、シェーディング補正が行われているのが望ましい。
その結果、図１８（Ａ）に示すＧチャネル副画素の１画素の画像を取得することができる。
【００７８】
ここで、本発明においては、特に制限的ではなく、どのようなディスプレイを基準として用いても良いが、ディスプレイの基準として、ＬＰ１０１ＷＸ１（ＳＬ）（ｎ３）を用いるのが好ましい。
また、ディスプレイＬＰ１０１ＷＸ１（ＳＬ）（ｎ３）のＢＭパターンは、図１５（Ａ１）、（Ａ２）に示すＢＭパターンを有する。なお、図１５（Ａ１）及び（Ａ２）には、Ｇチャネルのみのパターンが示されているが、ＲＢチャネルについても同様である。
ＲＢチャネルの各副画素の１画素の画像も、Ｇチャネル副画素の１画素の画像と全く同様にして撮像することができる。
【００７９】
次に、撮像後、スペクトロメータ（小型ファイバ光学分光器）を用いて、各副画素画像の分光スペクトルの計測し、計測された分光スペクトルデータを用いて明度変換して、ＲＧＢ明度画素情報（明度画像データ）を取得する。
例えば、以下のようにして、スペクトロメータを利用して、ＲＧＢ副画素（ＢＭ）インプットデータを作成することができる。
１．まず、ステップＳ３２において、明度の計測を行う。表示ユニット３０のＧチャネルの副画素を単色で点灯させ、スペクトロメータで計測する。その結果、Ｇ副画素について、例えば、図１８（Ｂ）に示すような分光スペクトルデータを得ることができる。ＲＢ副画素についても、Ｇ副画素と全く同様にして分光スペクトルデータを得ることができる。
なお、明度の計測には、オーシャンオプティクス製スペクトロメータＵＳＢ２０００＋を用い、スペクトロメータのファイバの先端には拡散板(同社製ＣＣ−３−ＵＶ−Ｓ)を利用し、積分時間は２５０ｍｓとする。
【００８０】
２．次に、ステップＳ３４において、ステップＳ１０で得られたマイクロスコープ撮像画像にマスクをかけて２値化を行い、撮像画像の画像データからマスク画像を作成する。マスク画像の作成方法は、Ｇチャネルの場合には、撮像画像データのＧチャネルに対し、点灯ＢＭの画素サイズでの平均値を算出し、その値を閾値として、マスクデータを求め、マスク画像を作成する。この閾値は、撮像画像１画素分の画像のＧチャネルのみの平均値である。ＲＢチャネルの場合も、Ｇチャネルの場合と同様にして撮像画像の画像データからマスク画像を作成する。
【００８１】
３．続いて、得られたマスク画像に対して、解像度×マスク画像の値を持つ面積で規格化した明度データを与えて、インプットデータとする。
即ち、上記２．で得られたマスク画像の（０、１）マスクデータの１の箇所を、上記１．で得られたスペクトルデータに、図１９に示すＸＹＺ等色関数をかけたものの積分値で置き換える。例えば、Ｇ副画素のインプットデータを作成する際には、図１８（Ｂ）に示すＧの分光スペクトルデータＧと図１９に示すＸＹＺ等色関数の明度Ｙの分光スペクトルデータＹとの積（Ｇ×Ｙ）を求め、Ｂ副画素のインプットデータを作成する際には、Ｂの分光スペクトルデータＢと図１９に示すＸＹＺ等色関数の明度Ｙの分光スペクトルデータＹとの積（Ｂ×Ｙ）を求めればよい。同様にして、Ｒ副画素のインプットデータも作成すればよい。この際、算出された明度値（明度データ）Ｙは、スペクトロメータのセンサ内に含まれる画素数（解像度）と副画素の開口面積（マスク画像の値を持つ面積）に比例するので、画素数×開口面積、即ち解像度×マスク画像の値を持つ面積で規格化して与える。これは、マクロな明度は、副画素を無限小の光源の集合と考えた場合、副画素の開口面積×センサに含まれる画素数と考えることができるからである。
【００８２】
続いて、ステップＳ３６において、マイクロスコープ画像の解像度と、必要なインプットデータ（１２７００ｄｐｉ）は異なるため、ステップＳ３４で得られたＲＧＢ副画素のインプットデータを、それぞれバイキュービック法で拡縮（縮小）し、ステップＳ３８において、本実施例のディスプレイ明度が１．０となるように規格化して、図１８（Ｃ）に示す２画素×２画素インプットデータとしてディスプレイＢＭデータ（規格化明度画像データ）を作成する。
こうして、ディスプレイＢＭデータを取得することができる。
こうして得られたディスプレイＢＭデータは、基準となるディスプレイの明度によって規格化された規格化明度画像データとなっているので、他のディスプレイと比較した際にも絶対値で比較することができる。
【００８３】
ところで、ディスプレイＢＭデータに対して２次元高速フーリエ変換（２ＤＦＦＴ（基底２））を行うに先立ち、２画素×２画素インプットデータを画像サイズ５０００ｐｉｘ×５０００ｐｉｘに近くなる整数倍繰り返しコピーし、ノイズ評価用インプットデータとしての規格化明度画像データを作成しておくのが好ましい。ここで、画像サイズは、任意であり、例えば、２００００ｐｉｘ×２００００ｐｉｘとしても良い。
なお、２画素×２画素インプットデータを作成することなく、ステップＳ３４で得られたＲＧＢ副画素のインプットデータを、それぞれ、バイリニア補間で、高解像度である解像度１２７００ｄｐｉとし、画像サイズを１０９ｐｉｘ（画素）×１０９ｐｉｘ（画素）にバイキュービック法で変換しておいても良い。なお、撮像光学系の解像度が既知であれば、それに応じてこれらは算出可能である。
続いて、ＲＧＢ各色毎に、画像サイズが１０９ｐｉｘ×１０９ｐｉｘ、解像度１２７００ｄｐｉの規格化明度画像を、画像サイズ５０００ｐｉｘ×５０００ｐｉｘに近くなる整数倍（４５回）繰り返しコピーし、ノイズ評価用インプットデータとしての規格化明度画像データを作成しておいても良い。
【００８４】
なお、表示ユニット３０のＲＧＢ副画素配列パターンを撮像してＲＧＢ明度画素情報を表すディスプレイＢＭデータ（規格化明度画像データ）を取得する方法は、上述したスペクトロメータを用いて、各副画素画像の分光スペクトルの計測し、計測された分光スペクトルデータを用いて明度変換する方法に限定されず、撮像画像データから、直接各色（ＲＧＢ）の明度値に変換するようにしても良い。
例えば、撮像された各色の副画素配列パターンの画像の撮像画像データから、各色（ＲＧＢ）の明度値に変換し、ディスプレイの明度＝１．０を基準にしてＲＧＢの明度データ(合計３種)を作成する。
【００８５】
撮像画像から明度値への変換は、赤の画像データをＲ、緑の画像データをＧ、青の画像データをＢとし、明度値をＹとする時、下記の変換式（２）を用いてＹ（明度値）を算出し、Ｒ、Ｇ、Ｂカラーフィルタ画像（明度比画像）を作成する。
Ｙ＝０．３００Ｒ＋０．５９０Ｇ＋０．１１０Ｂ              ……（２）
こうして得られたＧ副画素（カラーフィルタ）画像（明度比画像）の最大値を１．０（＝０．２５＊２５５）、即ち基準として、Ｒ、Ｇ、Ｂ副画素の明度画像を規格化することで、ＲＧＢ副画素のそれぞれの規格化明度画像（画像データ）を作成することができる。
【００８６】
次に、手順２として、導電性フィルム１０のメッシュ状配線パターン２４を定量化するために、導電性フィルム１０の上側及び下側の配線パターン２４ａ及び２４ｂの合成配線パターンの画像（透過率画像データ）の作成を行う。なお、配線パターン２４ａ及び２４ｂの少なくとも一方は、不規則メッシュパターン（以下、ランダムメッシュパターンともいう）である。上述したように、一方の片側面がランダムメッシュパターンであり、他方の片側面がＩＴＯ等の透明導電膜による配線パターンである場合には、両者の合成配線パターンの画像（透過率画像データ）は、片側面のランダムメッシュパターンの画像（透過率画像データ）で表すものとする。
【００８７】
図１６に示すように、ステップＳ１２において、ランダムメッシュパターンを含む合成配線パターンの透過率画像データを作成する。
ここでは、上側及び下側の配線パターン２４ａ及び２４ｂの少なくとも一方として用いられるランダムメッシュパターン２５ａの透過率画像（データ）を作成する。その手順では、まず、上述の図３に示すように、平面領域１００内において任意の間隔で無作為に選択された複数の位置にドットを発生させて複数のシード点ｐとするのが好ましい。次に、図２に示すように、得られた複数のシード点のドットデータを、元にボロノイ図（ボロノイ分割法）に従って決定されたボロノイ多角形を開口部２２として持つランダムメッシュパターン２５ａを作成して、その透過率画像データを取得するのが好ましい。ここで、ランダムメッシュパターンの作成方法は、ドロネー三角形でも何であってもよい。
【００８８】
なお、上述したように、ランダムメッシュパターン２５ａの代わりに、図２３、図２５（Ａ）、（Ｂ）、又は（Ｃ）に示すランダムメッシュパターン２５ｂ、２５ｃ、２５ｄ、又は２５ｅの透過率画像（データ）を作成しても良い。ここで、例えば、ランダムメッシュパターン２５ｂは、上述の図２４（Ａ）に示すように、平面領域１１０内に規則的に配置されたドッドに異方性を持たせて異方的に配置されたシード点ｐとし、図２４（Ｂ）に示すように、シード点ｐに菱形パターン１１４を畳み込んだ後に、細線化処理を行って、図２３に示すランダムメッシュパターン２５ｂを作成しても良い。
【００８９】
なお、上側及び下側の配線パターン２４ａ及び２４ｂとしてランダムメッシュパターン２５ａを用いる場合には、２つのランダムメッシュパターン２５ａの透過率画像データから両者を重ね合わせた状態の合成配線パターンの透過率画像データを作成する。
上側及び下側の配線パターン２４ａ及び２４ｂの一方のみにランダムメッシュパターン２５ａを用いる場合には、別途、他方の配線パターンの透過率画像データを取得して、両者の透過率画像データから両者を重ね合わせた状態の合成配線パターンの透過率画像データを作成する。この時、他方の配線パターンがＩＴＯ等の透明導電膜の配線パターンである場合には、その透過率データの値を全面的に１．０として、合成配線パターンの透過率画像データを作成する。
なお、予め、合成配線パターン、ランダムメッシュパターン２５ａ、及びメッシュ状配線パターン２４ａ及び２４ｂの他方の配線パターンの透過率画像データの少なくとも１つが準備されている、若しくは蓄えられている場合には、準備された、若しくは蓄えられた中から取得するようにしても良い。
【００９０】
なお、今回、実施例において、図３に示す平面領域１００内にランダムに発生させたシード点ｐのドットデータは、以下の通りである。
先ず、例えば、解像度１２７００ｄｐｉ（２μｍ／ｐｉｘ）で、１０ｍｍ相当（５０００ｐｉｘ×５０００ｐｉｘ)の平面領域１００を持つキャンバスを用意する。そこに、メッシュになった時のピッチを想定し、必要な数のドットを配置する。ドット数は、例えばピッチを５０μｍと想定した場合、キャンバスサイズが５０００ｐｉｘ×５０００ｐｉｘなので、５０μｍは２５ｐｉｘに相当するので、２５ｐｉｘで割ると、２００Ｘ２００＝４００００のドットが必要になる。それをランダムに配置する。想定したピッチとドット数との組み合わせ(ピッチ、ドット数)は、例えば、(５０μｍ, ４００００ドット）、（１０００μｍ, １００００ドット）、（２００μｍ, ２５００ドット）、（３００μｍ, １１１１ドット）の計４種である。ランダムメッシュパターンを描画する際の線幅は、例えば、２μｍ及び４μｍを利用する。
また、ランダムメッシュパターンの透過率画像データ、及び合成配線パターンの透過率画像データを作成する際に、その解像度を、例えば、２５４００ｄｐｉとし、透過率画像データのサイズを規定し、例えば、ＢＭパターン３８の場合と同様に、画素サイズを２００００ｐｉｘ×２００００ｐｉｘに近く、周期的に切り出すことができるサイズ（例えば、１０９ｐｉｘ×１０９ｐｉｘ）の整数倍としても良い。こうして、規定されたサイズで透過率画像データを作成することができる。
【００９１】
次に、手順３として、手順１（ステップＳ１０）で作成した副画素の規格化明度画像データ及び手順２（ステップＳ１２）で作成した合成配線パターンの透過率画像データのそれぞれに対して、２次元高速フーリエ変換（２ＤＦＦＴ（基底２））を行い、両透過率画像データの定量化を行って、スペクトルピークの空間周波数、及びピークスペクトル強度を算出する。
即ち、図１６に示すように、ステップＳ１４において、まず、ＲＧＢの各色毎にＢＭパターン３８の各色の副画素配列パターン（ＢＭパターン）の明度画像データ及び合成配線パターンの透過率画像データのそれぞれに対して２ＤＦＦＴ（画像サイズは、５０００ｐｉｘ×５０００ｐｉｘ）を行い、フーリエスペクトルを算出する。ここでは、ＤＣ成分（直流成分）の強度が、画像の平均値になるように規格化しておくのが好ましい。
【００９２】
まず、ステップＳ１０で得られたノイズ評価用明度画像データに対して２ＤＦＦＴを行い、ピーク周波数、及びそのピーク強度を得る。ここでは、ピーク強度は、フーリエスペクトルの絶対値として取り扱う。
これをＲＧＢ各色について繰り返し行う。この際、ノイズに寄与しない強度が小さいものも全て用いると、計算が煩雑になるばかりか、精度を正しく評価できなくなるおそれがあるので、強度で閾値を設けるのが好ましい。例えば、スペクトル強度の絶対値を常用対数で表した場合に−２．２より大きい（ｌｏｇ１０（強度)＞−２．２）ものだけを採用するのが好ましい。
こうして得られたＧ色の（副画素配列パターン）の明度画像データの２次元フーリエスペクトルの強度特性の一例を図２０（Ａ）に示す。
【００９３】
続いて、ステップＳ１２で作成された合成配線パターンの透過率画像データに対して２ＤＦＦＴを行い、合成配線パターンの透過率画像データの２次元フーリエスペクトルの複数のスペクトルピークのピーク周波数及びピーク強度を算出する。ここでは、ピーク強度は、絶対値として取り扱う。計算簡略化の為、例えば、強度の閾値は、スペクトル強度の絶対値を常用対数で表した場合に、−３．０より大きいものだけを取り扱うのが好ましい。
こうして得られた合成配線パターンの透過率画像データの２次元フーリエスペクトルの強度特性の一例を図２０（Ｂ）に示す。本発明においては、ノイズの視認性を評価対象としている。このため、評価に組み入れるスペクトルピークの強度閾値は、離散的に存在する強い（高い）ピーク強度を対象とするモアレの場合と異なり、分布状態を評価する必要があるので、より弱い（低い）ピーク強度まで評価に組み入れる必要があることから、より小さい閾値となっている。
【００９４】
なお、図２０（Ｂ）に示す２次元パワースペクトルの強度の分布を示す図において、横軸及び縦軸は、それぞれ２次元の各軸、例えばＸ軸及びＹ軸方向に対する空間周波数（ｃｙｃｌｅ／ｍｍ）を示す。この分布図の中心、即ち原点は、空間周波数が０ｃｙｃｌｅ／ｍｍであることを示し、中心からの距離を表わす動径ｒは、空間周波数（ｃｙｃｌｅ／ｍｍ）を示す。また、同図において、空間周波数帯域毎の表示濃度が濃い（黒い）ほど強度レベル（スペクトルの値）が小さくなり、表示濃度が薄い（白い）ほど強度レベルが大きくなっていることを示す。本図の例では、この２次元スペクトルの強度分布特性は、等方的であるとともに環状のピークを１個有していることを示し、略同一の空間周波数、例えば、１５ｃｙｃｌｅ／ｍｍ付近に空間周波数を持つスペクトルピークが等方的に分布していることを示している。即ち、ランダムメッシュパターンは、セル（開口部２２）の平均ピッチが６７μｍ付近であることを示している。
【００９５】
なお、視点を変えた場合の合成配線パターンのメッシュの空間周波数及びその強度、及びＢＭのスペクトル強度は正面のものとは異なる。合成配線パターンについては、例えば３０°視点をずらすと、上側のメッシュパターンと下側のメッシュパターンとのズレ量は、基体厚み（例えば、ＰＥＴ：１００μｍ)を考慮してずらせばよい。ＢＭのスペクトル強度については、正面の強度と比べて、０．９倍にすればよい。
【００９６】
上述したように、図２０（Ａ）及び（Ｂ）は、それぞれＢＭパターン３８のＧ色の（副画素配列パターン）の明度画像データ及び合成配線パターンの透過率画像データの２次元フーリエスペクトルの強度特性を示す図である。
なお、図２０（Ａ）及び（Ｂ）において、白い部分は強度が高く、スペクトルピークを示しているので、図２０（Ａ）及び（Ｂ）に示す結果から、ＢＭパターン３８のＲＧＢ３色の副画素配列パターンに依存する各色点灯時のＢＭパターン３８の明度データ及び合成配線パターンのそれぞれについて、各スペクトルピークのピーク周波数及びピーク強度を算出する。即ち、図２０（Ａ）及び（Ｂ）にそれぞれ示すＢＭパターン３８（各色の副画素配列パターン）の明度データ及び合成配線パターンの透過率データの２次元フーリエスペクトルの強度特性におけるスペクトルピークの周波数座標上の位置、即ちピーク位置がピーク周波数を表し、そのピーク位置における２次元フーリエスペクトルの強度がピーク強度となる。
【００９７】
ここでは、ＢＭパターン３８の各副画素配列パターン及び合成配線パターンの各スペクトルピークのピークの周波数及び強度は、以下のようにして同様に算出されて取得される。以下では、纏めて説明する。なお、以下では、各色点灯時のＢＭパターン３８（各色の副画素配列パターン）の明度データを、明度データで表されるものとして単にＢＭパターン３８の各副画素配列パターンと言い、合成配線パターンの透過率画像データを、透過率画像データで表されるものとして単に合成配線パターンという。
まず、ピークの算出には、ＢＭパターン３８の各副画素配列パターン及び合成配線パターンの基本周波数から周波数ピークを求める。これは、２ＤＦＦＴ処理を行う明度画像データ及び透過率画像データは離散値であるため、ピーク周波数が、画像サイズの逆数に依存してしまうからである。周波数ピーク位置は、図２１に示すように、独立した２次元基本周波数ベクトル成分ａバー及びｂバーを元に組み合わせて表すことができる。したがって、当然ながら、得られるピーク位置は格子状となる。
【００９８】
即ち、図２２に示すように、ＢＭパターン３８の各副画素配列パターン及び合成配線パターンのスペクトルピークの周波数座標ｆｘｆｙ上の位置、即ちピーク位置は、パターンピッチの逆数（１／ｐ（ｐｉｔｃｈ）を格子間隔とする周波数座標ｆｘｆｙ上の格子状点の位置として与えられる。
なお、図２１は、Ｇ色点灯時のＢＭパターン３８のＧ色の副画素配列パターンの場合の周波数ピーク位置を示すグラフであるが、合成配線パターンの場合も、同様にして求めることができる。
一方、ピーク強度の取得においては、上記のピーク周波数の取得においてピーク位置が求まるため、ピーク位置が持つ２次元フーリエスペクトルの強度（絶対値）を取得する。
ここで、得られたピーク強度は、画像面積（画像サイズ）で規格化するのが好ましい。例えば、上述した画像サイズで規格化しておくのが好ましい（パーセバルの定理）。
【００９９】
次に、手順４として、手順３（ステップＳ１４）で得られたＲＧＢ各色の単体点灯時のＢＭパターン３８の明度データのピーク周波数及びピーク強度と合成配線パターンのピーク周波数及びピーク強度からノイズの空間周波数及び強度を算出し、それらの予測を行う。
即ち、図１６に示すように、ステップＳ１６において、ステップＳ１４でそれぞれ算出したＢＭパターン３８のＲＧＢ各色の副画素配列パターン及びメッシュパターンの両２次元フーリエスペクトルのピーク周波数及びピーク強度から各色についてそれぞれノイズの周波数及び強度を算出する。なお、ここでも、ピーク強度及びノイズの強度は、絶対値として取り扱う。
ここでは、ＲＧＢ各色の副画素配列パターンのピーク周波数及びピーク強度とメッシュパターン２４のピーク周波数及びピーク強度の畳み込み演算によってノイズの空間周波数及び強度を計算することができる。
【０１００】
実空間においては、ノイズは、本来、導電性フィルム１０の合成配線パターンと各色の単体点灯時のＢＭパターン３８の副画素配列パターンとの画像データ（透過率画像データと明度画像データと）の掛け算によって起こるため、周波数空間においては、両者の畳み込み積分（コンボリューション）を行うことになる。しかしながら、ステップＳ１４及び１６において、ＢＭパターン３８の各色の副画素配列パターン及び合成配線パターンの両方の２次元フーリエスペクトルのピーク周波数及びピーク強度が算出されているので、ＲＧＢの中の１色の副画素配列パターンと合成配線パターンとの両者のそれぞれの周波数ピーク同士の差分（差の絶対値）を求め、求められた差分をノイズの周波数とし、両者の組み合わせた２組のベクトル強度の積を求め、求められた積をノイズの強度（絶対値）とすることができる。
これらのノイズの周波数及びノイズの強度は、ＲＧＢの各色毎に求められる。
【０１０１】
ここで、図２０（Ａ）及び（Ｂ）にそれぞれ示すＢＭパターン３８の各色の副画素配列パターンと合成配線パターンとのそれぞれ両者の２次元フーリエスペクトルの強度特性のそれぞれの周波数ピーク同士の差分は、各色について、両者の２次元フーリエスペクトルの強度特性を重ね合わせて得られる強度特性において、両者のそれぞれの周波数ピークの周波数座標上のピーク位置間の相対距離に相当する。
なお、ＢＭパターン３８の各色の副画素配列パターンと合成配線パターンとの両２次元フーリエスペクトルのスペクトルピークは、各色毎に、それぞれ複数存在するので、その相対距離の値である周波数ピーク同士の差分、即ちノイズの周波数も複数求められることになる。したがって、両２次元フーリエスペクトルのスペクトルピークが多数存在すると、求めるノイズの周波数も多数となり、求めるノイズの強度も多数となる。
【０１０２】
しかしながら、求められたノイズの周波数におけるノイズの強度が弱い場合は、ノイズが視認されないため、ノイズの強度が弱いと見做せる所定値またはそれより大きいノイズ、例えば、強度が−４．５以上のノイズのみを扱うのが好ましい。
また、ここで、表示装置においては、ディスプレイ解像度が決まっているため、ディスプレイが表示できる最高の周波数はその解像度に対して決まる。このため、この最高の周波数より高い周波数を持つノイズは、このディスプレイで表示されないことになるので、本発明における評価の対象とする必要はない。従って、ディスプレイ解像度に合わせてノイズの最高周波数を規定することができる。ここで、本発明において考慮すべきノイズの最高周波数は、ディスプレイの画素配列パターンの画素ピッチをＰｄ（μｍ）とする時、１０００／Ｐｄ（ｃｙｃｌｅ／ｍｍ）とすることができる。
【０１０３】
以上から、本発明では、両２次元フーリエスペクトルのスペクトルピークから求められたノイズの周波数及び強度の中で、本発明における評価（定量化）の対象とするノイズは、ノイズの周波数が、対象となるディスプレイ解像度（例えば、本実施例のものでは、２６４ｄｐｉ）に応じて規定されるノイズの最高周波数１０００／Ｐｄ（本実施例のものでは、１０ｃｙｃｌｅ／ｍｍ）以下、例えば、８ｃｙｃｌｅ／ｍｍ以下の周波数を持つノイズであって、ノイズの強度が−４．５以上のノイズである。本発明において、ノイズの強度が−４．５以上のノイズを対象とする理由は、強度が−４．５未満のノイズも多数発生し、合算値をとると本来見えないノイズまで点数付けすることになるからである。このため、本発明においては、経験的な視認限界より−４．５以上という閾値を設けている。
【０１０４】
次に、手順５として、手順４（ステップＳ１６）で算出したＲＧＢ各色の副画素毎のノイズの周波数及び強度を用いて、ノイズの定量化を行い、ノイズの評価指標となる定量値を求める。
即ち、図１６に示すように、ステップＳ１８において、ステップＳ１６で残ったノイズ評価用スペクトルピークに対して視覚伝達関数（ＶＴＦ；Visual Transfer Function）（ＶＴＦが最大値をとる周波数より小さい低周波数領域ではＶＴＦを１．０とする。但し、０周波数成分は０とする）を畳み込み、定量化する。
【０１０５】
ノイズの定量化においては、具体的には、ステップＳ１８において、ステップＳ１６で得られたＲＧＢ各色の副画素毎のノイズの周波数及び強度（絶対値）に、それぞれ下記式（１）で示す人間の視覚応答特性の一例を表す観察距離７５０ｍｍ相当の人間の視覚応答特性（ＶＴＦ）を作用させて、即ち畳み込み積分を行い、各色毎の複数のノイズの評価値を算出する。ここで、ノイズの点数付けのために、観察距離７５０ｍｍ相当のＶＴＦを代用している。
ＶＴＦ＝５．０５ｅ−０．１３８ｋ（１−ｅ０．１ｋ）              …（１）
ｋ＝πｄｕ／１８０
ここで、ｋは、立体角で定義される空間周波数（ｃｙｃｌｅ／ｄｅｇ）であり、上記式（１）で表され、ｕは、長さで定義される空間周波数（ｃｙｃｌｅ／ｍｍ）であり、ｄは、観察距離（ｍｍ）で定義される。
上記式（１）で示される視覚伝達関数は、Ｄｏｏｌｅｙ−Ｓｈａｗ関数と呼ばれるもので、参考文献（R.P.Dooley, R.Shaw: Noise Perception in Electrophotography, J.Appl.Photogr.Eng., 5, 4 (1979), pp.190-196.）の記載を参照することにより求めることができる。
【０１０６】
こうして、ＲＧＢの各色毎に、強度の常用対数をとったノイズの評価値を求めることができる。
ここで、ＲＧＢの各色毎に、上述したステップＳ１０〜Ｓ１８を繰り返して、ＲＧＢのノイズの評価値を求めても良いが、上述したステップＳ１０〜Ｓ１８の各ステップにおいて、ＲＧＢの各色の演算を行っても良い。
こうして得られたＲＧＢのノイズの評価値の中の最悪値、即ち最大値をノイズの評価指標（定量値）とする。ノイズの評価指標の値も、常用対数で表され、ノイズの評価指標の常用対数での値（常用対数値）として求められる。なお、最悪値の算出に伴い、評価画像もＲＧＢ表示で合せて評価するのが好ましい。
なお、ノイズの評価指標であるノイズの定量値は、従来通りのモアレ、及びノイズを定量化したものと言える。本発明では、ノイズは、モアレがたくさんある状態として定義することができる。したがって、本発明では、単一周波数にピークがあれば、モアレと判断するが、単一周波数付近に複数のピークがあれば、ノイズと判断することができる。
【０１０７】
以上のノイズの評価指標は、ディスプレイ４０の表示ユニット３０の表示画面に積層された導電性フィルム１０を表示画面の正面から観察する場合のものであるが、本発明はこれに限定されず、正面に対し、斜めから観察する場合のノイズの評価指標を求めても良い。
なお、斜めから観察する場合のノイズの評価指標を求める場合には、斜め観察時のディスプレイ４０のＲＧＢの強度を、正面観察時の明度の９０％で計算し、ステップＳ１４に戻り、再度、各色のフーリエスペクトルのピーク周波数・強度を算出する。この後、ステップＳ１６〜Ｓ１８を同様に繰り返し、斜め観察時のノイズの評価指標を算出する。
こうして、正面観察時及び斜め観察時のノイズの評価指標が算出されると、正面観察時及び斜め観察時のノイズの評価指標の内の大きい値（最悪値）がノイズの評価に供されるノイズの評価指標として算出される。
なお、正面観察時及び斜め観察時の一方しか行わない場合には、正面観察時又は斜め観察時のノイズの評価指標がそのままノイズの評価に供されるノイズの評価指標となる。
【０１０８】
次に、手順６として、手順５（ステップＳ２４）で算出されたノイズの評価指標（定量値：最悪値）に基づいて合成配線パターン及びランダムメッシュパターンを評価し、判定を行う。
即ち、図１６に示すように、ステップＳ２０において、ステップＳ１８で求めた当該合成配線パターンのノイズの評価指標の常用対数値が、所定の評価閾値以下であれば、当該合成配線パターンを構成する各ランダムメッシュパターン、又は他方の配線パターンに対する一方のランダムメッシュパターン、若しくは他方が透明導電膜の場合のランダムメッシュパターンは、本発明の導電性フィルム１０に適用するのに最適化されたランダムメッシュパターンであると評価し、図２に示す最適化されたランダムメッシュパターン２５ａとして設定する。
【０１０９】
なお、ノイズの評価指標の値を、常用対数で、所定の評価閾値以下に限定する理由は、所定の評価閾値より大きいと、重畳された合成配線パターンとＢＭパターンの各副画素配列パターンとの干渉によって生じたノイズがあると視認され、視認されたノイズが目視するユーザにとって気になるものとなるからである。ノイズの評価指標の値が、所定の評価閾値以下では、僅かに気になることはあってもあまり気にならないからである。
ここで、所定の評価閾値は、導電性フィルム及び表示装置の性状に応じて、具体的には、ランダムメッシュパターン２５ａの金属細線１４の線幅や、セル（開口部２２）の形状やそのサイズ（ピッチ等）や角度や、２つの配線層２８の両配線パターンの重ね合わせの状態等、及びＢＭパターン３８の形状やそのサイズ（ピッチ等）や配置や角度等に応じて適宜設定されるものであるが、例えば、常用対数で−２．８０（真数で１０−２．８０）以下であるのが好ましい。即ち、ノイズの評価指標は、その値が、例えば、常用対数で−２．８０（真数で１０−２．８０）以下であるのが好ましい。
【０１１０】
なお、詳しくは後述するが、ランダムメッシュパターン２５ａの重ね合わせによって構成される多数の合成配線パターンについて、シミュレーションサンプル及び実サンプルでノイズの評価指標を求め、３名の官能評価者が合成配線パターンとＢＭパターンのＲＧＢ３色の各色の副画素配列パターンとの干渉によるノイズの目視による官能評価を行ったところ、ノイズの評価指標が、常用対数で−２．８０以下であれば、ディスプレイが点灯された状態で、重畳された合成配線パターンとＢＭパターンのＲＧＢ３色の各色の副画素配列パターンとの干渉によって生じるノイズの視認性に対して、劣化が僅かに認められるが、殆ど気にならないレベル以上だからである。
【０１１１】
したがって、本発明において最適化された合成配線パターン及び構成要素となるランダムメッシュパターン２５ａでは、ノイズの評価指標を、好ましい範囲として、常用対数で−２．８０（真数で１０−２．８０）以下に特定する。
もちろん、ランダムメッシュパターン２５ａの金属細線１４の線幅や、開口部２２の形状やそのサイズ（ピッチや角度）や、２つの配線層のランダムメッシュパターン２５ａの重ね合わせ状態等に応じて、複数の最適化されたランダムメッシュパターン２５ａが得られるが、ノイズの評価指標の常用対数値が小さいものが最良のランダムメッシュパターン２５ａとなり、複数の最適化されたランダムメッシュパターン２５ａには序列を付けることもできる。
こうして評価された図２に示すランダムメッシュパターン２５ａを、本発明の導電性フィルムの配線パターンとして決定し評価する。
【０１１２】
こうして、本発明の導電性フィルムの配線パターンの決定方法は、終了し、評価されたランダムメッシュパターンを本発明の導電性フィルムの配線パターンとして評価することができる。
その結果、点灯状態の表示装置の表示ユニットのＢＭパターンに重畳してもノイズの発生が抑止され、異なる解像度の表示装置に対しても、また、観察距離によらず、ノイズの視認性に優れた、最適化されたランダムメッシュパターンを持つ本発明の導電性フィルムを作製することができる。
本発明においては、所定のＢＭパターンに対して最適化したランダムメッシュパターンを用いるので、ノイズの発生が更に抑止され、ノイズの視認性に更に優れたものとすることができ、重畳するＢＭパターン少し変化した場合であっても、ノイズの発生を抑止することができ、ノイズの視認性に優れた性能を維持することができる。
【０１１３】
以上に、本発明に係る導電性フィルム、それを備える表示装置及び導電性フィルムのパターンの評価方法について種々の実施形態及び実施例を挙げて説明したが、本発明は、上述の実施形態及び実施例に限定されず、本発明の要旨を逸脱しないかぎり、種々の改良や設計の変更を行っても良いことはもちろんである。
【実施例】
【０１１４】
以下に、本発明を実施例に基づいて具体的に説明する。
（実施例Ｉ）
本実施例においては、図１６及び図１７に示す本発明の導電性フィルムの評価方法のフローに従って、上述のようにして、以下のように実験を行った。
図１５（Ａ１）〜（Ｈ２）に示すＧ副画素配列パターンで代表的に表される、異なる副画素形状、解像度及び発光強度を持つＮｏ．１〜Ｎｏ．１６のディスプレイの画素配列（ＢＭ）パターン３８に対して、図２に示すボロノイ多角形からなるランダムなメッシュパターン形状を持ち、開口部の形状及びサイズ（平均ピッチ）が異なり、金属細線（メッシュ）の線幅の異なる多数のランダムメッシュパターン２５ａについて、シミュレーションサンプルで、その合成配線パターンと各色のＢＭパターンとを重畳し、ノイズの評価指標を求めると共に、異なるランダム性を有する多数のランダムメッシュパターンと各色のＢＭパターンとを重畳し、３名の官能評価者が、ノイズのシミュレーション画像において重畳された両者の干渉によって生じるノイズを目視で官能評価した。
その結果を表１−１〜１−３に示す。
【０１１５】
ここで、ノイズの評価は、図１６に示すように、ステップＳ１４で用いた画素配列（ＢＭ）パターンの各色の副画素配列パターンの明度画像データ上に合成配線パターンの透過率データを重畳して、明度画像上に透過率画像が重畳されたノイズのシミュレーション画像を作成してディスプレイに表示し、表示されたシミュレーション画像を３名の官能評価者が目視して官能評価を行った。
ここで、官能評価結果は、１〜５の５段階で行い、ノイズの視認性の劣化が認められ、非常に気になる場合は、１と評価し、ノイズの視認性の劣化が認められ、気になる場合は、２と評価し、ノイズの視認性の劣化が認められ、僅かに気になる場合は、３と評価し、ノイズの視認性の劣化が認められるが、気にならない場合は、４と評価し、ノイズの視認性の劣化が認められない場合は、５と評価した。
ノイズの視認性としては、評価４以上であれば合格であるが、評価５であるのがより望ましい。
【０１１６】
本実施例においては、ランダムメッシュパターン２５ａのセル（開口部２２）の平均ピッチを５０μｍと、１００μｍと、２００μｍと、３００μｍとに変化させた。
また、ランダムメッシュパターン２５ａの線幅は、２μｍと、４μｍとに変化させた。
なお、ディスプレイの解像度は、図１５（Ａ１）〜（Ｈ１）に示すＮｏ．１〜Ｎｏ．１６のＢＭ構造が異なる８種のＢＭパターンでは、それぞれ、Ｎｏ．１及び２では１４９ｄｐｉ、Ｎｏ．３及び４では２２２ｄｐｉ、Ｎｏ．５〜８では２６５ｄｐｉ、Ｎｏ．９及び１０では３２６ｄｐｉ、Ｎｏ．１１〜１４では３８４ｄｐｉ、Ｎｏ．１５及び１６では４４０ｄｐｉであった。
また、ディスプレイの発光強度は、ディスプレイ  ＬＰ１０１ＷＸ１（ＳＬ）（ｎ３）（ＬＧディスプレイ社製）で規格化され、全強度が０−２５５で与えられる時、各ディスプレイにおいて、Ｎｏ．１、３、５、６、９、１１、１２及び１５では６４（明度１）に、Ｎｏ．２、４、７、８、１０、１３、１４及び１６では、１２８（明度２）に変化させた。
【０１１７】
なお、画素配列（ＢＭ）パターン３８の各色の副画素配列パターンの撮像においては、マイクロスコープとしてＳＴＭ６（ＯＬＹＭＰＵＳ社製）、レンズとしてＵＭＰｌａｎＦＩ１０ｘ（ＯＬＹＭＰＵＳ社製）、カメラとしてＱＩＣ−Ｆ−ＣＬＲ−１２−Ｃ（Linkam Scientific Instruments社製）を用いた。この際、撮像条件は、ゲイン１．０、ホワイトバランス（Ｇ、Ｒ、Ｂ）は（１．００、２．１７、１．１２）とした。また、撮像画像は、シェーディングを行った。
明度の計測には、オーシャンオプティクス製ＵＳＢ２０００＋、ファイバの先端には拡散板(同社製ＣＣ−３−ＵＶ−Ｓ)を利用し、積分時間は２５０ｍｓとした。
ノイズの評価指標の算出は、図１６に示す方法で、上述のように行った。
【０１１８】
【表１】
0006285888.tif 000002
【０１１９】
【表２】
0006285888.tif 000003
【０１２０】
【表３】
0006285888.tif 000004
【０１２１】
なお、表１−１中、ノイズの定量値の欄の「ＮａＮ」は、強度が小さく、ノイズの発生に寄与しないものを閾値処理によって除去したために、ノイズの定量値が求められなかったことを示し、ノイズの発生がなく、ノイズが視認されないことを示す。
表１−１〜１−２に示す実施例１〜７３は、評価指標（評価値）が−２．８０以下であり、全て視認性の評価結果は４以上であり、本発明の実施例であることが分かる。
なお、表１−１に示す実施例１〜１３は、ノイズの定量値の欄の「ＮａＮ」であり、全て視認性の評価結果は５であり、ノイズの発生がなく、ノイズが視認されないことが分かる。
これに対し、表１−２〜１−３に示す比較例１〜５５は、評価指標（評価値）が−２．８０超であり、評価結果は３以下であり、気になるほどのノイズが視認されることが分かる。
【０１２２】
（実施例ＩＩ）
本実施例においては、実施例Ｉで用いたボロノイ多角形やドロネー三角形等のランダムなメッシュパターン形状を持つ多数の図２に示すようなランダムメッシュパターン２５ａの代わりに、例えば、図２３、図２５（Ａ）、（Ｂ）及び（Ｃ）に示すような、原図形が菱形、菱形、六角形及び平行四辺形であり、開口部２２の開口重心を平均値で５％ばらつかせた（ランダム化した）、異方性を有するランダムメッシュパターン２５ｂ、２５ｃ、２５ｄ、及び２５ｅについて、実施例Ｉと全く同様にして、シミュレーションサンプルで、その合成配線パターンと各色のＢＭパターンとを重畳し、ノイズの評価指標を求めると共に、異なるランダム性を有する多数のランダムメッシュパターンと各色のＢＭパターンとを重畳し、３名の官能評価者が、ノイズのシミュレーション画像において重畳された両者の干渉によって生じるノイズを目視で官能評価した。
その結果を表２に示す。
【０１２３】
本実施例ＩＩにおいては、ランダムメッシュパターン２５ｂ、２５ｃ、２５ｄ、及び２５ｅのセル（開口部２２）を構成する原図形の多角形の斜辺の傾斜角度は、３０°、３５°、及び４０°に変化させた。
また、ランダムメッシュパターン２５ｂ、２５ｃ、２５ｄ、及び２５ｅのセル（開口部２２）の平均ピッチは、５０μｍと、１００μｍと、２００μｍと、３００μｍと、４００とに変化させた。
また、ランダムメッシュパターン２５ｂ、２５ｃ、２５ｄ、及び２５ｅの線幅は、２μｍと、４μｍとに変化させた。
さらに、画像解像度は、６３５０ｄｐｉと１２７００ｄｐｉとに変化させた。
【０１２４】
【表４】
0006285888.tif 000005
【０１２５】
表２に示す実施例８０〜９７は、評価指標（評価値）が−２．８０以下であり、全て視認性の評価結果は４以上であり、本発明の実施例であることが分かる。
これに対し、表２に示す比較例６０〜７２は、評価指標（評価値）が−２．８０超であり、評価結果は３以下であり、気になるほどのノイズが視認されることが分かる。
【０１２６】
以上から、上記のノイズの定量値（評価指標）が、ランダムメッシュパターンを少なくとも一方に含み、上記範囲を満足する合成配線パターンを持つ本発明の導電性フィルムは、ディスプレイのＢＭパターンの周期や強度やディスプレイの発光強度等が異なっていても、また、正面観察時でも、斜め観察時でも、ノイズの発生を抑止でき、視認性を大幅に向上させることができる。
以上から、本発明の効果は明らかである。
【０１２７】
なお、本発明では、上述した実施例のように、予め、種々のパターン形状の配線パターンを準備しておいて、本発明の評価方法によって最適化された合成配線パターンを構成する上側及び下側の配線パターンの少なくとも一方の全部または一部にランダムメッシュパターンを含む配線パターンを持つ導電性フィルムを決定することができるが、１つの配線パターンのノイズの評価指標が、所定値超である場合には、ランダムメッシュパターンの透過率画像データを新たなランダムメッシュパターンの透過率画像データに更新して、新たな合成配線パターンの透過率画像データを作成して、上述した本発明の評価方法を適用してノイズの定量値（評価指標）を求めることを繰り返して、最適化された配線パターンを持つ導電性フィルムを決定することもできる。
ここで、更新される新たなランダムメッシュパターンは、予め準備されたものであっても、新たに作成されたものであっても良い。なお、新たに作成され場合には、ランダムメッシュパターンの透過率画像データの平均ピッチ等を変化させても良いし、配線パターンの開口部の形状やサイズを変更するようにしても良い。なお、本発明では、合成配線パターンの少なくとも一方の少なくとも一部にランダムメッシュパターンを用いる必要があるのは、もちろんである。
【符号の説明】
【０１２８】
１０、１１、１１Ａ  導電性フィルム
１２  透明支持体
１４  金属製の細線（金属細線）
１６、１６ａ、１６ｂ  配線部
１８、１８ａ、１８ｂ  接着層
２０、２０ａ、２０ｂ  保護層
２１  メッシュ状配線
２２  開口部
２３ｂ  ダミー電極部（非電極部）
２４  合成配線パターン
２４ａ  第１（上側）の配線パターン
２４ｂ  第２（下側）の配線パターン
２５ａ、２５ｂ、２５ｃ、２５ｄ、２５ｅ  ランダムメッシュパターン
２６  ダミー電極部
２７  規則的な定型パターン
２８、２８ａ、２８ｂ  配線層
３０  表示ユニット
３２、３２ｒ、３２ｇ、３２ｂ  画素
３４  ブラックマトリクス（ＢＭ）
３８  ＢＭパターン
４０  表示装置
４４  タッチパネル
【図１】
0006285888.tif 000006
【図２】
0006285888.tif 000007
【図３】
0006285888.tif 000008
【図４】
0006285888.tif 000009
【図５】
0006285888.tif 000010
【図６】
0006285888.tif 000011
【図７】
0006285888.tif 000012
【図８】
0006285888.tif 000013
【図９】
0006285888.tif 000014
【図１０】
0006285888.tif 000015
【図１１】
0006285888.tif 000016
【図１２】
0006285888.tif 000017
【図１３】
0006285888.tif 000018
【図１４】
0006285888.tif 000019
【図１５】
0006285888.tif 000020
【図１６】
0006285888.tif 000021
【図１７】
0006285888.tif 000022
【図１８】
0006285888.tif 000023
【図１９】
0006285888.tif 000024
【図２０】
0006285888.tif 000025
【図２１】
0006285888.tif 000026
【図２２】
0006285888.tif 000027
【図２３】
0006285888.tif 000028
【図２４】
0006285888.tif 000029
【図２５】
0006285888.tif 000030